(57)【特許請求の範囲】
【請求項１】
３Ｄパノラマ画像に基づく旅行先ワンストップショッピングシステムにおいて、
会員情報に対応してサーバから伝送される３Ｄパノラマ画像情報に含まれた特定コードが選択される時、前記選択された特定コードの固有識別情報及び購買端末の識別情報を前記サーバへ伝送する前記購買端末；及び
予め保存されたコード別商品及びサービス情報のうちから前記特定コードの固有識別情報に対応する一つ以上の商品及びサービス情報を確認し、前記確認した一つ以上の商品及びサービス情報を前記購買端末へ伝送する前記サーバとを含み、
前記サーバは、
複数のカメラを介してオフライン上の一つ以上の売場、前記売場内の商品、ＰＯＰ（Ｐｏｉｎｔ  ｏｆ  Ｐｕｒｃｈａｓｅ）、ちらし、バナー広告、掲示板広告、ポスター広告及び看板のうち、一つ以上を含む第１画像及び第２画像を各々撮影し、前記撮影した第１画像及び第２画像においてピクセルの方向性を基準として、前記第１画像及び第２画像が重畳する重畳領域を獲得し、前記獲得した重畳領域を基準として、前記第１画像及び第２画像を合成して予備パノラマ画像を生成し、前記予備パノラマ画像内に含まれた売場、ＰＯＰ、ちらし、バナー広告、掲示板広告、ポスター広告及び看板のうち、一つ以上を各々認識し、前記認識した一つ以上のオブジェクトに各々対応するコードを前記予備パノラマ画像内のオブジェクト上の一部の領域に追加するか、または、前記オブジェクトに接して追加して前記３Ｄパノラマ画像を生成し、
前記コードは、
バーコード、ＱＲコード（登録商標）及び文字列コードのうち、いずれか一つの型であって、
前記認識したオブジェクトに関する一つ以上の商品情報及び一つ以上のサービス情報のうち、少なくとも一つを含み、
前記サーバは、
前記購買端末から追加に伝送される前記購買端末のユーザーに関連するパスポート番号に対応する国家の国家番号、前記購買端末の識別情報に対応する国家の国家番号及び前記購買端末が連結された最終段基地局の予め設定された位置情報を基に前記購買端末が位置した国家の国家番号のうち、少なくとも一つの国家番号と、国家名を含む旅行先情報に対応する国家固有の国家番号を比較し、前記比較の結果、二つの国家番号が同一であると、前記一つ以上の商品及びサービス情報のうち、選択される少なくとも一つの特定商品及びサービス情報における決済機能を中断し、
前記最終段基地局は出国前の国の基地局である
ことを特徴とする３Ｄパノラマ画像に基づく旅行先ワンストップショッピングシステム。
【請求項２】
前記会員情報は、
姓名、住所、使用言語、配送先情報、旅行先情報及びショッピングオブジェクトの種類のうち、少なくとも一つを含み、
前記商品及びサービス情報は、
商品名、サービス名、商品固有コード、サービス固有コード、商品イメージ、サービスの基本イメージ、商品説明情報、サービス説明情報、商品／サービスにおける体験情報及び商品／サービスにおける評価情報のうち、少なくとも一つを含む
ことを特徴とする請求項１に記載の３Ｄパノラマ画像に基づく旅行先ワンストップショッピングシステム。
【請求項３】
前記サーバは、
前記購買端末へ伝送された前記一つ以上の商品及びサービス情報のうち、選択される少なくとも一つの特定商品及びサービス情報に対応する特定商品が予め設定された輸入通関不可商品である場合、前記特定商品及びサービス情報における決済機能遂行が不可であることを示す情報を前記購買端末へ伝送し、決済機能を終了する
ことを特徴とする請求項１に記載の３Ｄパノラマ画像に基づく旅行先ワンストップショッピングシステム。
【請求項４】
前記購買端末は、
前記サーバから伝送される一つ以上の商品及びサービス情報を示し、
宅配サービス、マルチ商品割引クーポン発行及び現場受領のうち、いずれか一つを含む配送情報を前記サーバへ伝送する
ことを特徴とする請求項１に記載の３Ｄパノラマ画像に基づく旅行先ワンストップショッピングシステム。
【請求項５】
前記購買端末は、
前記購買端末、決済サーバ及び販売端末との連動によって、前記一つ以上の商品及びサービス情報のうち、選択される少なくとも一つの特定商品及びサービス情報に対応する正常価金額に予め設定された割引額を適用して正常価金額に割引額が適用された金額における決済機能を遂行する
ことを特徴とする請求項１に記載の３Ｄパノラマ画像に基づく旅行先ワンストップショッピングシステム。
【請求項６】
前記購買端末は、
前記決済機能が正常的に完了された後、前記サーバから伝送される通関リストを受信して、前記受信した通関リストを示し、
前記通関リストは、
前記少なくとも一つの特定商品情報に対応する特定商品における商品名、商品の固有識別情報、ＨＳ（Ｈａｒｍｏｎｉｚｅｄ  Ｃｏｍｍｏｄｉｔｙ  Ｄｅｓｃｒｉｐｔｉｏｎ  ａｎｄ  Ｃｏｄｉｎｇ  Ｓｙｓｔｅｍ）コード、配送料及び課税運賃情報のうち、少なくとも一つを含む
ことを特徴とする請求項５に記載の３Ｄパノラマ画像に基づく旅行先ワンストップショッピングシステム。
【請求項７】
３Ｄパノラマ画像に基づく旅行先ワンストップショッピングシステムの制御方法において、
購買端末を介して、姓名、住所、使用言語、配送先情報、国家名を含む旅行先情報及びショッピングオブジェクトの種類のうち、少なくとも一つを含む会員情報をサーバへ伝送する段階と；
前記サーバを介して、前記会員情報内の旅行先情報に対応する３Ｄパノラマ画像情報を前記購買端末へ伝送する段階と；
前記購買端末を介して、前記３Ｄパノラマ画像情報に含まれた特定コードが選択される時、前記選択された特定コードの固有識別情報及び購買端末の識別情報を前記サーバへ伝送する段階と；
前記サーバを介して、予め保存されたコード別商品及びサービス情報のうちから前記特定コードの固有識別情報に対応する一つ以上の商品及びサービス情報を確認し、前記確認した一つ以上の商品及びサービス情報を前記購買端末へ伝送する段階と；
前記購買端末を介して、前記一つ以上の商品及びサービス情報を示す段階と；
前記購買端末を介して、国内、または、国外地域への宅配サービス、マルチ商品割引クーポン発行及び現場受領のうち、いずれか一つを含む配送情報を前記サーバへ伝送する段階と；
前記購買端末を介して、前記一つ以上の商品及びサービス情報のうち、少なくとも一つの特定商品及びサービス情報が選択される時、前記購買端末、決済サーバ及び販売端末との連動によって、前記選択された少なくとも一つの特定商品及びサービス情報に対応する正常価金額に予め設定された割引額を適用して正常価金額に割引額が適用された金額における決済機能を遂行する段階；及び
前記購買端末を介して、前記決済機能が正常的に完了された後、前記サーバから伝送される通関リストを示す段階を含み、
前記３Ｄパノラマ画像情報は、
前記サーバを介して、複数のカメラを介してオフライン上の一つ以上の売場、前記売場内の商品、ＰＯＰ、ちらし、バナー広告、掲示板広告、ポスター広告及び看板のうち、一つ以上を含む第１画像及び第２画像を各々撮影する過程と；
前記サーバを介して、前記撮影した第１画像及び第２画像においてピクセルの方向性を基準として、前記第１画像及び第２画像が重畳する重畳領域を獲得する過程と；
前記サーバを介して、前記獲得した重畳領域を基準として、前記第１画像及び第２画像を合成して予備パノラマ画像を生成する過程と；
前記サーバを介して、前記予備パノラマ画像内に含まれた売場、ＰＯＰ、ちらし、バナー広告、掲示板広告、ポスター広告及び看板のうち、一つ以上を各々認識する過程；及び
前記サーバを介して、前記認識した一つ以上のオブジェクトに各々対応するコードを前記予備パノラマ画像内のオブジェクト上の一部の領域に追加するか、または、前記オブジェクトに接して追加して前記３Ｄパノラマ画像を生成する過程とを介して生成され、
前記コードは、
バーコード、ＱＲコード（登録商標）及び文字列コードのうち、いずれか一つの型であって、
前記認識したオブジェクトに関連する一つ以上の商品情報及び一つ以上のサービス情報のうち、少なくとも一つを含み、
前記決済機能を遂行する段階は、
前記サーバを介して、前記購買端末から追加に伝送される前記購買端末のユーザーに関連するパスポート番号に対応する国家の国家番号、前記購買端末の識別情報に対応する国家の国家番号及び前記購買端末が連結された最終段基地局の予め設定された位置情報を基に前記購買端末が位置した国家の国家番号のうち、少なくとも一つの国家番号と、前記旅行先情報に対応する国家固有の国家番号を比較し、前記比較の結果、二つの国家番号が同一である場合、前記一つ以上の商品及びサービス情報のうち、選択される少なくとも一つの特定商品及びサービス情報における決済機能を中断し、
前記最終段基地局は出国前の国の基地局である
ことを特徴とする３Ｄパノラマ画像に基づく旅行先ワンストップショッピングシステムの制御方法。
【発明の詳細な説明】
【技術分野】
【０００１】
本発明は、３Ｄパノラマ画像に基づく旅行先ワンストップショッピングシステム及びその制御方法に関する。
【０００２】
特に、売場に陳列された商品や街のロードビュー（ｒｏａｄ  ｖｉｅｗ）上の売場における３Ｄパノラマ画像に当該商品や売場と関連するタグを含めさせて仮想現実を具現して、前記商品や売場と関連するタグが選択される場合、前記選択されたタグと関連する商品や売場における情報提供を介して関心商品購買と配送機能を遂行し、旅行先へ出発する前、３Ｄパノラマ画像に基づき、当該地域ショッピング情報を予め収集及び確認して、旅行者専用のプリペイドマルチ商品割引クーポンの決済機能を遂行する３Ｄパノラマ画像に基づく旅行先ワンストップショッピングシステム及びその制御方法に関する。
【背景技術】
【０００３】
パノラマ画像とは、被写体に関する多数の画像が合成してなる画像を意味する。
【０００４】
このようなパノラマ画像がインターネットショッピングモールに適用される場合、オフラインの状況をオンライン上の仮想現実で具現し、パノラマ画像に含まれた商品や売場などにおける概略的商品情報を提供するだけに止まり、仮想現実で具現したオフラインで提供する商品情報を提供するだけに止まって、ショッピング補助手段に止まっている。
【先行技術文献】
【特許文献】
【０００５】
【特許文献１】韓国公開特許第１０−２０１３‐００８４２７４号公報[名称：３次元仮想現実インターネットショッピングモール]
【発明の概要】
【発明が解決しようとする課題】
【０００６】
本発明の目的は、売場に陳列された商品や街におけるロードビュー上の売場における３Ｄパノラマ画像に当該商品や売場と関連するタグを含めさせて仮想現実を具現する３Ｄパノラマ画像に基づく旅行先ワンストップショッピングシステム及びその制御方法を提供することである。
【０００７】
本発明の他の目的は、商品や売場と関連するタグが含まれた３Ｄパノラマ画像で前記商品や売場と関連するタグが選択される場合、前記選択されたタグに関する商品や売場における情報を提供し、前記提供される商品や売場における情報のうち、特定商品や売場における情報に対応する旅行者専用プリペイドマルチ商品割引クーポンの決済機能を遂行する３Ｄパノラマ画像に基づく旅行先ワンストップショッピングシステム及びその制御方法を提供することである。
【課題を解決するための手段】
【０００８】
本発明の実施例による３Ｄパノラマ画像に基づく旅行先ワンストップショッピングシステムは、３Ｄパノラマ画像に基づく旅行先ワンストップショッピングシステムにおいて、会員情報に対応してサーバから伝送される３Ｄパノラマ画像情報に含まれた特定コードが選択される時、前記選択された特定コードの固有識別情報及び購買端末の識別情報を前記サーバへ伝送する前記購買端末；及び予め保存されたコード別商品及びサービス情報のうち、前記特定コードの固有識別情報に対応する一つ以上の商品及びサービス情報を確認し、前記確認した一つ以上の商品及びサービス情報を前記購買端末へ伝送する前記サーバとを含むことができる。
【０００９】
本発明に関する一例をあげると前記会員情報は、姓名、住所、使用言語、配送先情報、旅行先情報及びショッピングオブジェクトの種類のうち、少なくとも一つを含むことができる。
【００１０】
本発明に関する一例をあげると前記商品及びサービス情報は、商品名、サービス名、商品固有コード、サービス固有コード、商品イメージ、サービスの基本イメージ、商品説明情報、サービス説明情報、商品／サービスにおける体験情報及び商品／サービスにおける評価情報のうち、少なくとも一つを含むことができる。
【００１１】
本発明に関する一例をあげると前記サーバは、複数のカメラを介してオフライン上の一つ以上の売場、前記売場内の商品、ＰＯＰ（Ｐｏｉｎｔ  ｏｆ  Ｐｕｒｃｈａｓｅ）、ちらし、バナー広告、掲示板広告、ポスター広告、看板及び価格表のうち、ひとつ以上を含む第１画像及び第２画像を各々撮影し、前記撮影した第１画像及び第２画像においてピクセルの方向性を基準として、前記第１画像及び第２画像が重畳する重畳領域を獲得し、前記獲得した重畳領域を基準として、前記第１画像及び第２画像を合成して予備パノラマ画像を生成し、前記予備パノラマ画像内に含まれた売場、ＰＯＰ、ちらし、バナー広告、掲示板広告、ポスター広告、看板及び価格表のうち、一つ以上を各々認識し、前記認識した一つ以上のオブジェクトに各々対応するコードを前記予備パノラマ画像内のオブジェクト上の一部の領域に追加するか、または、前記オブジェクトに接して追加して前記３Ｄパノラマ画像を生成することができる。
【００１２】
本発明に関する一例をあげると前記コードは、バーコード、ＱＲコード（登録商標）及び文字列コードのうち、いずれか一つの型であって、前記認識したオブジェクトに関した一つ以上の商品情報及び一つ以上のサービス情報のうち、少なくとも一つを含むことができる。
【００１３】
本発明に関する一例をあげると前記購買端末は、前記サーバから伝送される一つ以上の商品及びサービス情報を示し、宅配サービス、マルチ商品割引クーポン発行及び現場受領のうち、いずれか一つを含む配送情報を前記サーバへ伝送することができる。
【００１４】
本発明に関する一例をあげると前記購買端末は、前記購買端末、決済サーバ及び販売端末との連動によって、前記一つ以上の商品及びサービス情報のうちから選択される少なくとも一つの特定商品及びサービス情報に対応する正常価金額に予め設定された割引額を適用して正常価金額から割引額が適用された金額における決済機能を遂行することができる。
【００１５】
本発明に関する一例をあげると前記購買端末は、前記決済機能が正常的に完了された後、前記サーバから伝送される通関リストを受信して、前記受信した通関リストを示し、前記通関リストは、前記少なくとも一つの特定商品情報に対応する特定商品における商品名、商品の固有識別情報、ＨＳ（Ｈａｒｍｏｎｉｚｅｄ  Ｃｏｍｍｏｄｉｔｙ  Ｄｅｓｃｒｉｐｔｉｏｎ  ａｎｄ  Ｃｏｄｉｎｇ  Ｓｙｓｔｅｍ）コード、配送料及び課税運賃情報のうち、少なくとも一つを含むことができる。
【００１６】
本発明の実施例による３Ｄパノラマ画像に基づく旅行先ワンストップショッピングシステムの制御方法は、３Ｄパノラマ画像に基づく旅行先ワンストップショッピングシステムにおいて、購買端末を介して、姓名、住所、使用言語、配送先情報、旅行先情報及びショッピングオブジェクトの種類のうち、少なくとも一つを含む会員情報をサーバへ伝送する段階と；前記サーバを介して、前記会員情報内の旅行先情報に対応する３Ｄパノラマ画像情報を前記購買端末へ伝送する段階と；前記購買端末を介して、前記３Ｄパノラマ画像情報に含まれた特定コードが選択される時、前記選択された特定コードの固有識別情報及び購買端末の識別情報を前記サーバへ伝送する段階と；前記サーバを介して、予め保存されたコード別商品及びサービス情報のうちから前記特定コードの固有識別情報に対応する一つ以上の商品及びサービス情報を確認し、前記確認した一つ以上の商品及びサービス情報を前記購買端末へ伝送する段階と；前記購買端末を介して、前記一つ以上の商品及びサービス情報を示す段階と；前記購買端末を介して、国内または、国外地域への宅配サービス、マルチ商品割引クーポン発行及び現場受領のうち、いずれか一つを含む配送情報を前記サーバへ伝送する段階と；前記購買端末を介して、前記一つ以上の商品及びサービス情報のうちから少なくとも一つの特定商品及びサービス情報が選択される時、前記購買端末、決済サーバ及び販売端末との連動によって、前記選択された少なくとも一つの特定商品及びサービス情報に対応する正常価金額に予め設定された割引額を適用して正常価金額から割引額が適用された金額における決済機能を遂行する段階；及び前記購買端末を介して、前記決済機能が正常的に完了された後、前記サーバから伝送される通関リストを示す段階とを含むことができる。
【００１７】
本発明に関する一例をあげると前記３Ｄパノラマ画像情報は、前記サーバを介して、複数のカメラを介してオフライン上の一つ以上の売場、前記売場内の商品、ＰＯＰ、ちらし、バナー広告、掲示板広告、ポスター広告、看板及び価格表のうち、一つ以上を含む第１画像及び第２画像を各々撮影する過程と；前記サーバを介して、前記撮影した第１画像及び第２画像においてピクセルの方向性を基準として、前記第１画像及び第２画像が重畳する重畳領域を獲得する過程と；前記サーバを介して、前記獲得した重畳領域を基準として、前記第１画像及び第２画像を合成して予備パノラマ画像を生成する過程と；前記サーバを介して、前記予備パノラマ画像内に含まれた売場、ＰＯＰ、ちらし、バナー広告、掲示板広告、ポスター広告、看板及び価格表のうち、一つ以上を各々認識する過程；及び前記サーバを介して、前記認識した一つ以上のオブジェクトに各々対応するコードを前記予備パノラマ画像内のオブジェクト上の一部の領域に追加するか、または、前記オブジェクトに接して追加して前記３Ｄパノラマ画像を生成する過程を介して生成され、前記コードは、バーコード、ＱＲコード（登録商標）及び文字列コードのうち、いずれか一つの型であって、前記認識したオブジェクトに関する一つ以上の商品情報及び一つ以上のサービス情報のうち、少なくとも一つを含むことができる。
【発明の効果】
【００１８】
本発明は、売場に陳列された商品や街におけるロードビュー上の売場における３Ｄパノラマ画像に当該商品や売場と関連するタグを含めさせて、仮想現実を具現することによって、実際のデパート、ショッピングモール、街などで見るビューをそのまま提供しながら、オンラインショッピングモールのない町の小型商店や在来市場が含まれたオフラインで提供する商品や売場に関する付加的情報を、前記タグを介して伝達して、ユーザーに様々な情報を提供できる効果がある。
【００１９】
また、本発明は、商品や売場と関連するタグが含まれた３Ｄパノラマ画像で前記商品や売場と関連するタグが選択される場合、前記選択されたタグと関連する商品や売場における情報を旅行先に出発する前に３Ｄパノラマ画像を基に当該地域ショッピング情報を予め収集及び確認し、必要であれば、３Ｄパノラマ画像を介した商品購買機能遂行を求める地域への配送をすることができて、前記提供される商品や売場における情報のうちから旅行先で使える特定商品や売場における情報に対応する旅行者専用プリペイドマルチ商品割引クーポンの決済機能を遂行することによって、外国を旅行する場合、現地の人より低い値段で商品を購買することができて、旅行客である当該端末のユーザーの満足感と便宜を高める効果がある。
【００２０】
また、本発明は、オンラインショッピングモールのない町の小型商店及び在来市場の商品を、３Ｄパノラマ画像を基にオンラインで国内外にショッピング情報提供とともに販売及び配送機能を遂行することによって、購買者と販売者の両方を満足させる新しい営業方式を介してオンライン電子商取引分野において既存の概念を飛び越す新しい変曲点をもたらす効果がある。
【図面の簡単な説明】
【００２１】
【図１】本発明の実施例による３Ｄパノラマ画像に基づく旅行先ワンストップショッピングシステムの構成を示したブロック図である。
【図２】本発明の実施例による展示商品の例を示した図である。
【図３】本発明の実施例によるＰＯＰ（Ｐｏｉｎｔ  ｏｆ  Ｐｕｒｃｈａｓｅ）の例を示した図である。
【図４】本発明の実施例によるちらしの例を示した図である。
【図５】本発明の実施例によるバナー広告の例を示した図である。
【図６】本発明の実施例によるポスター広告の例を示した図である。
【図７】本発明の実施例による看板の例を示した図である。
【図８】本発明の実施例による３Ｄパノラマ画像に基づく旅行先ワンストップショッピングシステムの制御方法を示した流れ図である。
【図９】本発明の実施例による３Ｄパノラマ画像に基づく旅行先ワンストップショッピングシステムの制御方法を示した流れ図である。
【図１０】本発明の実施例による購買端末の画面を示した図である。
【図１１】本発明の実施例による購買端末の画面を示した図である。
【図１２】本発明の実施例による購買端末の画面を示した図である。
【図１３】本発明の実施例による購買端末の画面を示した図である。
【図１４】本発明の実施例による購買端末の画面を示した図である。
【図１５】本発明の実施例による購買端末の画面を示した図である。
【発明を実施するための形態】
【００２２】
本発明で使われる技術的用語は、特定の実施例を説明するためのみに使われるものであり、本発明を限定しようとする意図ではないということに注意すべきである。また、本発明で使われる技術的用語は、本発明で特に違う意味で定義されない限り、本発明の属する技術分野で通常の知識を有する者によって一般的に理解される意味と解釈されるべきであり、過度に包括的意味と解釈されたり、過度に縮小した意味で解釈されたりしてはならない。また、本発明で使われる技術的用語が本発明の事象を正確に表現しない間違った技術的用語である時には、当業者が正しく理解することのできる技術的用語と取り替えて理解されるべきである。また、本発明で使われる一般的用語は、辞典に定義されているところによって、または、前後の文脈上によって解釈されるべきであって、過度に縮小された意味と解釈されるべきではない。
【００２３】
また、本発明で使われる単数の表現は、文脈上明らかに違う意味を有しない限り、複数の表現を含む。本発明で「構成される」、または、「含む」などの用語は、発明に記載された様々な構成要素等、または、様々な段階を必ず全部含むと解釈されるべきではなく、そのうち、一部の構成要素等、または、一部の段階等は含まれないこともあるし、または、追加的構成要素、または、段階等をさらに含むことができると解釈されるべきである。
【００２４】
また、本発明で使われる第１、第２などのように序数を含む用語は、構成要素等を説明することに使われることができるが、構成要素等は、用語等によって限定されてはならない。用語等は、一つの構成要素を他の構成要素から区別する目的のみとして使われる。例えば、本発明の権利範囲を外れないままで第１構成要素は第２構成要素と命名されることがあり、類似に第２構成要素も第１構成要素と命名されることもある。
【００２５】
以下、添付の図面を参照して本発明による好ましい実施例を詳しく説明し、図面符号に関係なく同一か類似な構成要素は同一の参照番号を与え、これに関する重複する説明は省略する。
【００２６】
また、本発明を説明することにおいて、関連公知技術における具体的説明が本発明の要旨を濁すと判断される場合、その詳細な説明を省略する。また、添付の図面は、本発明の事象を簡単に理解できるようにするためのものであり、添付の図面によって本発明の事象が制限されると解釈されてはならないことを注意すべきである。
【００２７】
図１は、本発明の実施例による３Ｄパノラマ画像に基づく旅行先ワンストップショッピングシステム（１０）の構成を示したブロック図である。
【００２８】
図１に図示したように、旅行先ワンストップショッピングシステム（１０）は、サーバ（１００）、購買端末（２００）、決済サーバ（３００）及び販売端末（４００）から構成される。
【００２９】
図１に図示された旅行先ワンストップショッピングシステム（１０）の構成要素全てが必須構成要素であるのではなく、図１に図示された構成要素より多くの構成要素によって旅行先ワンストップショッピングシステム（１０）が具現されることもできて、それより少ない構成要素によっても旅行先ワンストップショッピングシステム（１０）が具現されることもできる。
【００３０】
前記購買端末（２００）及び／または前記販売端末（４００）は、スマートフォン（Ｓｍａｒｔ  Ｐｈｏｎｅ）、携帯端末機（Ｐｏｒｔａｂｌｅ  Ｔｅｒｍｉｎａｌ）、移動端末機（Ｍｏｂｉｌｅ  Ｔｅｒｍｉｎａｌ）、個人情報端末機（Ｐｅｒｓｏｎａｌ  Ｄｉｇｉｔａｌ  Ａｓｓｉｓｔａｎｔ:ＰＤＡ）、ＰＭＰ（Ｐｏｒｔａｂｌｅ  Ｍｕｌｔｉｍｅｄｉａ  Ｐｌａｙｅｒ）端末機、テレマティクス（Ｔｅｌｅｍａｔｉｃｓ）端末機、ナビゲーション（Ｎａｖｉｇａｔｉｏｎ）端末機、パーソナルコンピュータ（Ｐｅｒｓｏｎａｌ  Ｃｏｍｐｕｔｅｒ）、ノート型パーソナルコンピュータ、スレートＰＣ（Ｓｌａｔｅ  ＰＣ）、タブレットＰＣ（Ｔａｂｌｅｔ  ＰＣ）、ウルトラブック（ｕｌｔｒａｂｏｏｋ）、ウェアラブルデバイス｛Ｗｅａｒａｂｌｅ  Ｄｅｖｉｃｅ、例えば、腕時計型端末機（Ｓｍａｒｔｗａｔｃｈ）、メガネ型端末機（Ｓｍａｒｔ  Ｇｌａｓｓ）、ＨＭＤ（Ｈｅａｄ  Ｍｏｕｎｔｅｄ  Ｄｉｓｐｌａｙ）などを含む｝、ワイブロ（Ｗｉｂｒｏ）端末機、ＩＰＴＶ（Ｉｎｔｅｒｎｅｔ  Ｐｒｏｔｏｃｏｌ  Ｔｅｌｅｖｉｓｉｏｎ）端末機、スマートテレビ、デジタル放送用端末機、ＡＶＮ（Ａｕｄｉｏ  Ｖｉｄｅｏ  Ｎａｖｉｇａｔｉｏｎ）端末機、Ａ／Ｖ（Ａｕｄｉｏ／Ｖｉｄｅｏ）システム、フレキシブル端末機（Ｆｌｅｘｉｂｌｅ  Ｔｅｒｍｉｎａｌ）などのような様々な端末機に適用できる。
【００３１】
ここで、前記販売端末（４００）は、売場に具備するＰＯＳ（Ｐｏｉｎｔ  ｏｆ  Ｓａｌｅｓ）端末などであることもある。
【００３２】
また、前記サーバ（１００）、前記購買端末（２００）、前記決済サーバ（３００）及び前記販売端末（４００）は、各々有／無線通信網を介して内部の任意の構成要素または、外部の任意の少なくとも一つの端末機と通信連結するために通信部を含むことができる。
【００３３】
ここで、無線インターネット技術としては無線ＬＡＮ（Ｗｉｒｅｌｅｓｓ  ＬＡＮ：ＷＬＡＮ）、ワイブロ（Ｗｉｒｅｌｅｓｓ  Ｂｒｏａｄｂａｎｄ:Ｗｉｂｒｏ)、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ:Ｗｉｍａｘ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＩＥＥＥ８０２．１６、ロングタームエボリューション（Ｌｏｎｇ  Ｔｅｒｍ  Ｅｖｏｌｕｔｉｏｎ：ＬＴＥ）、ブロードバンド無線移動通信サービス（Ｗｉｒｅｌｅｓｓ  Ｍｏｂｉｌｅ  Ｂｒｏａｄｂａｎｄ  Ｓｅｒｖｉｃｅ：ＷＭＢＳ）などが含まれることができる。
【００３４】
また、近距離通信技術としては、ブルートゥース（Ｂｌｕｅｔｏｏｔｈ（登録商標））、ワイファイ（Ｗｉ−Ｆｉ）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）、ＵＷＢ（Ｕｌｔｒａ  Ｗｉｄｅｂａｎｄ）、ジグビー（ＺｉｇＢｅｅ）、近接場型の無線通信（Ｎｅａｒ  Ｆｉｅｌｄ  Ｃｏｍｍｕｎｉｃａｔｉｏｎ：ＮＦＣ）、超音波通信（Ｕｌｔｒａ  Ｓｏｕｎｄ  Ｃｏｍｍｕｎｉｃａｔｉｏｎ：ＵＳＣ）、可視光通信（Ｖｉｓｉｂｌｅ  Ｌｉｇｈｔ  Ｃｏｍｍｕｎｉｃａｔｉｏｎ：ＶＬＣ）、ＢＬＥ（Ｂｌｕｅｔｏｏｔｈ（登録商標）  Ｌｏｗ  Ｅｎｅｒｇｙ）などが含まれることができる。
【００３５】
また、有線通信技術としては、電力線通信（Ｐｏｗｅｒ  Ｌｉｎｅ  Ｃｏｍｍｕｎｉｃａｔｉｏｎ：ＰＬＣ）、ＵＳＢ通信、イーサネット（登録商標）（Ｅｔｈｅｒｎｅｔ（登録商標））、シリアル通信（ｓｅｒｉａｌ  ｃｏｍｍｕｎｉｃａｔｉｏｎ）、光／同軸ケーブルなどが含まれることができる。
【００３６】
また、前記通信部は、ユニバーサルシリアルバス（Ｕｎｉｖｅｒｓａｌ  Ｓｅｒｉａｌ  Ｂｕｓ：ＵＳＢ）を介して任意の端末と情報を相互伝送することができる。
【００３７】
また、前記通信部は、移動通信のための技術標準等、または、通信方式｛例えば、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ  ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（登録商標）（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）など｝によって構築された移動通信網上で基地局、前記購買端末（２００）、前記サーバ（１００）、前記決済サーバ（３００）及び前記販売端末（４００）などと無線信号を送受信する。
【００３８】
また、前記サーバ（１００）、前記購買端末（２００）、前記決済サーバ（３００）及び前記販売端末（４００）は、各々保存部を含むことができる。
ここで、前記保存部は、様々なユーザーインタフェース（Ｕｓｅｒ  Ｉｎｔｅｒｆａｃｅ：ＵＩ）、グラフィックユーザーインタフェース（Ｇｒａｐｈｉｃ  Ｕｓｅｒ  Ｉｎｔｅｒｆａｃｅ：ＧＵＩ）などを保存する。
【００３９】
また、前記保存部は、前記サーバ（１００）、前記購買端末（２００）、前記決済サーバ（３００）及び前記販売端末（４００）が各々動作するに必要なデータとプログラムなどを保存する。
【００４０】
即ち、前記保存部は、前記サーバ（１００）、前記購買端末（２００）、前記決済サーバ（３００）及び前記販売端末（４００）で駆動される多数の応用プログラム｛ａｐｐｌｉｃａｔｉｏｎ  ｐｒｏｇｒａｍ、または、アプリケーション（ａｐｐｌｉｃａｔｉｏｎ）｝、前記サーバ（１００）、前記購買端末（２００）、前記決済サーバ（３００）及び前記販売端末（４００）の動作のためのデータ等、命令語等を保存することができる。
【００４１】
このような応用プログラムのうち、少なくとも一部は、無線通信を介して外部サーバからダウンロードすることができる。また、このような応用プログラムのうち、少なくとも一部は、前記サーバ（１００）、前記購買端末（２００）、前記決済サーバ（３００）及び前記販売端末（４００）の基本的機能（例えば、電話着信、発信機能、メッセージ受信、発信機能）のために出庫当時から前記サーバ（１００）、前記購買端末（２００）、前記決済サーバ（３００）及び前記販売端末（４００）上に存在することができる。
【００４２】
一方、応用プログラムは、前記保存部に保存され、前記サーバ（１００）、前記購買端末（２００）、前記決済サーバ（３００）及び前記販売端末（４００）に各々設置され、制御部（未図示）によって前記サーバ（１００）、前記購買端末（２００）、前記決済サーバ（３００）及び前記販売端末（４００）の各々の動作（または機能）を遂行するように駆動することができる。
【００４３】
また、前記保存部は、フラッシュメモリタイプ（Ｆｌａｓｈ  Ｍｅｍｏｒｙ  Ｔｙｐｅ）、ハードディスクタイプ（Ｈａｒｄ  Ｄｉｓｋ  Ｔｙｐｅ）、マルチメディアカードマイクロタイプ（Ｍｕｌｔｉｍｅｄｉａ  Ｃａｒｄ  Ｍｉｃｒｏ  Ｔｙｐｅ）、カードタイプのメモリ（例えば、ＳＤ、または、ＸＤメモリなど）、磁気メモリ、磁気ディスク、光ディスク、ラム（Ｒａｎｄｏｍ  Ａｃｃｅｓｓ  Ｍｅｍｏｒｙ：ＲＡＭ）、ＳＲＡＭ（Ｓｔａｔｉｃ  Ｒａｎｄｏｍ  Ａｃｃｅｓｓ  Ｍｅｍｏｒｙ）、ロム（Ｒｅａｄ−Ｏｎｌｙ  Ｍｅｍｏｒｙ：ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）のうち、少なくとも一つの記憶媒体を含むことができる。
【００４４】
また、前記サーバ（１００）、前記購買端末（２００）、前記決済サーバ（３００）及び前記販売端末（４００）は、インターネット（ｉｎｔｅｒｎｅｔ）上で保存部の保存機能を遂行するウェブストレージ（ｗｅｂ  ｓｔｏｒａｇｅ）を運営するか、または、前記ウェブストレージと関連して動作することもできる。
【００４５】
また、前記サーバ（１００）、前記購買端末（２００）、前記決済サーバ（３００）及び前記販売端末（４００）は、各々表示部を含むことができる。
【００４６】
ここで、前記表示部は、液晶ディスプレイ（Ｌｉｑｕｉｄ  Ｃｒｙｓｔａｌ  Ｄｉｓｐｌａｙ：ＬＣＤ）、薄膜トランジスタ液晶ディスプレイ（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ：ＴＦＴ−ＬＣＤ）、有機発光ダイオード（Ｏｒｇａｎｉｃ  Ｌｉｇｈｔ−Ｅｍｉｔｔｉｎｇ  Ｄｉｏｄｅ：ＯＬＥＤ）、フレキシブルディスプレイ（Ｆｌｅｘｉｂｌｅ  Ｄｉｓｐｌａｙ）、３次元ディスプレイ（３Ｄ  Ｄｉｓｐｌａｙ）、イーインクディスプレイ（ｅ−ｉｎｋ  ｄｉｓｐｌａｙ）、ＬＥＤ（Ｌｉｇｈｔ  Ｅｍｉｔｔｉｎｇ  Ｄｉｏｄｅ）のうち、少なくとも一つを含むことができる。
【００４７】
また、前記表示部は、タッチスクリーンであることもある。
また、前記サーバ（１００）、前記購買端末（２００）、前記決済サーバ（３００）及び前記販売端末（４００）は、各々音声出力部を含むことができる。
【００４８】
ここで、前記音声出力部は、前記制御部の制御によって所定信号処理された信号に含まれた音声情報を出力する。ここで、前記音声出力部には、レシーバー（ｒｅｃｅｉｖｅｒ）、スピーカー（ｓｐｅａｋｅｒ）、ブザー（ｂｕｚｚｅｒ）などが含まれることができる。
【００４９】
また、前記音声出力部は、前記制御部によって生成された案内音声を出力する。
【００５０】
また、前記サーバ（１００）、前記購買端末（２００）、前記決済サーバ（３００）及び前記販売端末（４００）は、各々制御部を含むことができる。ここで、前記制御部は、前記サーバ（１００）、前記購買端末（２００）、前記決済サーバ（３００）及び前記販売端末（４００）の各々の全般的制御機能を実行する。
【００５１】
また、前記制御部は、前記保存部に保存されたプログラム及びデータを用いて前記サーバ（１００）、前記購買端末（２００）、前記決済サーバ（３００）及び前記販売端末（４００）の全般的制御機能を実行する。前記制御部は、ＲＡＭ、ＲＯＭ、ＣＰＵ、ＧＰＵ、バスを含むことができて、ＲＡＭ、ＲＯＭ、ＣＰＵ、ＧＰＵなどは、バスを介して互いに連結することができる。
【００５２】
ＣＰＵは、前記保存部にアクセスして、前記保存部に保存されたＯ／Ｓを用いてブートを遂行することができて、前記保存部に保存された各種プログラム、コンテンツ、データなどを用いて様々な動作を遂行することができる。
【００５３】
前記サーバ（１００）は、前記購買端末（２００）、前記決済サーバ（３００）、前記販売端末（４００）などと通信する。
また、前記サーバ（１００）は、前記購買端末（２００）との連動によって、前記購買端末（２００）のユーザーにおける会員加入の手続きを遂行する。
【００５４】
また、前記サーバ（１００）は、前記販売端末（４００）との連動によって、前記販売端末（４００）のユーザーにおける会員加入の手続きを遂行する。
【００５５】
また、前記サーバ（１００）は、当該サーバ（１００）に含まれた複数のカメラ（未図示）を介してオフライン上の一つ以上の売場、当該売場内の商品、ＰＯＰ（Ｐｏｉｎｔ  ｏｆ  Ｐｕｒｃｈａｓｅ）、ちらし、バナー広告、掲示板広告、ポスター広告、看板、価格表などを含む第１画像と第２画像とを撮影する。
ここで、前記売場は、デパート、ショッピングモール、アウトレット、飲食店、病院、ビルディング(または建築物)などを含む。
【００５６】
また、前記サーバ（１００）は、前記撮影した第１画像及び第２画像において、ピクセルの方向性を基準として、前記第１画像及び第２画像が重畳する重畳領域を獲得する。
【００５７】
本発明の実施例では、前記獲得した重畳領域を基準として、前記第１画像及び第２画像を合成して前記予備パノラマ画像を生成すると説明しているが、これに限定されることはなく、前記サーバ（１００）は、予め公知した様々な合成方法によって前記撮影した第１画像及び第２画像を合成して前記予備パノラマ画像を生成することもできる。
【００５８】
この時、前記サーバ（１００）は、別途に構成される複数のカメラ（例えば、３Ｄパノラマ画像を撮影するための特殊装置、特殊車両などに構成された複数のカメラ）を介して撮影した第１画像及び第２画像を基に前記予備パノラマ画像を生成することもできる。
【００５９】
また、前記サーバ（１００）は、前記予備パノラマ画像内に含まれた一つ以上のオブジェクトを各々認識する。ここで、前記オブジェクトは、前記オフライン上に位置する各々の売場であることもあり、前記オフライン上に位置するか、各売場内に位置するＰＯＰ（Ｐｏｉｎｔ  ｏｆ  Ｐｕｒｃｈａｓｅ）、ちらし（ｌｅａｆｌｅｔ）、バナー広告（ｂａｎｎｅｒ  ａｄｖｅｒｔｉｓｅｍｅｎｔ）、掲示板広告（ｂｏａｒｄ  ａｄｖｅｒｔｉｓｉｎｇ）、ポスター広告（ｂｉｌｌｉｎｇ）、看板（ｓｉｇｎ）、価格表（ｐｒｉｃｅ  ｔａｇ）などを含むことができる。
【００６０】
この時、本発明での前記オブジェクトは、各売場内で提供する商品及びサービスを除いた状態であることもある。また、前記ＰＯＰ、ちらし、バナー広告、掲示板広告、ポスター広告、看板などは、割引行事コードを示し、前記価格表は、商品コードを示すことができる。
【００６１】
即ち、前記サーバ（１００）は、前記予備パノラマ画像内に含まれた一つ以上の売場を各々認識するか、前記予備パノラマ画像内に含まれたＰＯＰ、ちらし、バナー広告、掲示板広告、ポスター広告、看板、価格表などを各々認識する。
【００６２】
この時、図２に図示したように、前記展示商品（Ｄｉｓｐｌａｙ  ｐｒｏｄｕｃｔｓ）は、顧客に商品販売のために展示した展示用非販売商品を示す（例えば、マネキンに着せた服、展示台に目立つように陳列したカバンなどを含む）。
【００６３】
また、図３に図示したように、前記ＰＯＰ（Ｐｏｉｎｔ  ｏｆ  Ｐｕｒｃｈａｓｅ）は、売場を訪れた顧客にその場で商品及び／またはサービスにおける情報を提供する広告を示す。
【００６４】
また、図４に図示したように、前記ちらし（ｌｅａｆｌｅｔ）（または、ちらし広告／ちらし／ちらし広告)は、広告や宣伝を目的として配布する簡単な印刷物の形を示す。
【００６５】
また、図５に図示したように、前記バナー広告（ｂａｎｎｅｒ  ａｄｖｅｒｔｉｓｅｍｅｎｔ）は、売場の特定位置に設置され、特定商品及び／またはサービスにおける情報を提供する広告を示す。
【００６６】
また、図６に図示したように、前記ポスター広告（ｂｉｌｌｉｎｇ）は、広告宣伝用として製作して貼る紙を示し、視覚に訴えるため、目を引けるように文字、図形、紋章などを考えて製作する。
【００６７】
また、図７に図示したように、前記看板（ｓｉｇｎ）は、売場と関連する会社名、商店名、商品名、サービス名などを表示する板を示す。
【００６８】
また、前記サーバ（１００）は、前記認識した一つ以上のオブジェクトに各々対応するコードを前記予備パノラマ画像内の当該オブジェクト上の一部の領域に追加（または挿入）するか、または、前記オブジェクトに接して追加（または挿入）して３Ｄパノラマ画像を生成する。
【００６９】
ここで、前記コードは、バーコード、ＱＲコード（登録商標）、文字列コードなどの型であり、前記認識したオブジェクトに関する一つ以上の商品情報、一つ以上のサービス情報などを含む。
また、前記文字列コードは、言語別の文字、数字、記号などの組合せによって構成することができる。
【００７０】
この時、前記商品情報は、商品名、商品固有コード、商品イメージ、商品説明情報、商品に関する体験情報、商品に関する評価情報、当該商品を販売する売場の位置情報、売場の電話番号などを含む。
また、前記サービス情報は、サービス名、サービス固有コード、サービスの基本イメージ、サービス説明情報、サービスに関する体験情報、サービスに関する評価情報、当該サービスを提供する売場の位置情報、売場の電話番号などを含む。
【００７１】
また、前記サーバ（１００）は、言語別の特性を考えて言語別に前記３Ｄパノラマ画像を生成することもできる。
【００７２】
また、前記サーバ（１００）は、前記購買端末（２００）から伝送される会員情報、前記購買端末（２００）の識別情報などを受信する。
ここで、前記会員情報は、姓名は、住所、使用言語、配送先情報、旅行先情報、ショッピングオブジェクトの種類（例えば、アバターの類、エモーティコンの類などを含む）などを含む。
【００７３】
また、前記購買端末（２００）の識別情報は、ＭＤＮ、モバイルＩＰ、モバイルＭＡＣ、Ｓｉｍ（加入者識別モジュール）カード固有情報、シリアル番号などを含む。
【００７４】
また、前記サーバ（１００）は、前記受信した会員情報を基に前記会員情報に含まれた旅行先情報に対応する３Ｄパノラマ画像情報を前記購買端末（２００）へ伝送する。
【００７５】
この時、前記サーバ（１００）は、前記会員情報内の使用言語を基に当該使用言語で製作された３Ｄパノラマ画像情報を前記購買端末（２００）へ伝送することもできる。
【００７６】
ここで、前記３Ｄパノラマ画像情報は、実際のオフライン状況の画像情報に、前記オフライン状況の画像情報に含まれた売場、ＰＯＰ、ちらし、バナー広告、掲示板広告、ポスター広告、看板、価格表などを含むオブジェクトに各々対応する一つ以上のコードが追加された状態であることがある。
【００７７】
また、前記オブジェクトは、当該オフライン状況の画像情報に含まれる各売場内で提供する商品及びサービスは除いた状態と定義する。また、前記オブジェクトに対応するコードは、バーコード、ＱＲコード（登録商標）、文字列コードなどの型であり、前記オブジェクトに関する一つ以上の商品情報、一つ以上のサービス情報などを含む。
【００７８】
また、前記３Ｄパノラマ画像情報に含まれた特定コードが選択される場合、前記サーバ（１００）は、前記購買端末（２００）から伝送される前記選択された特定コードの固有識別情報、前記購買端末（２００）の識別情報などを受信する。
【００７９】
また、前記サーバ（１００）は、予め保存されたコード別商品及びサービス情報のうちから前記受信した特定コードの固有識別情報に対応する一つ以上の商品及びサービス情報を確認する。
【００８０】
ここで、前記商品及びサービス情報は、商品名（またはサービス名）、商品固有コード（またはサービス固有コード）、商品イメージ（またはサービスの基本イメージ）、商品説明情報（またはサービス説明情報）、商品／サービスに関する体験情報、商品／サービスに関する評価情報などを含む。
【００８１】
この時、前記商品情報は、紅参、高麗人参、化粧品、家電製品、ファッション衣類、雑貨、貴金属、健康補助食品、ベビー用品、海苔（ｌａｖｅｒ）、キムチ、製菓、飲食、ゴルフ、スキー、公演、スポーツ競技などの分野を含む。
また、前記サービス情報は、チムジルバン、温泉、レンタカー、レンタル、美容マッサージ、フィットネス、整形、用役、公演などの分野を含む。
【００８２】
また、前記サーバ（１００）は、前記確認した一つ以上の商品及びサービス情報（または前記特定コードの固有識別情報に対応する一つ以上の商品及びサービス情報）を前記購買端末（２００）へ伝送する。
【００８３】
本発明の実施例では、前記サーバ（１００）で前記購買端末（２００）と一対一方式で３Ｄパノラマ画像情報提供機能、前記購買端末（２００）で選択された特定コードの固有識別情報に対応する一つ以上の商品及びサービス情報提供機能などを遂行することを説明しているが、これに限定されるのではなく、前記購買端末（２００）によって招待された友達端末（未図示）及び前記購買端末（２００）との連動によって、前記３Ｄパノラマ画像情報提供機能、前記特定コードの固有識別情報に対応する一つ以上の商品及びサービス情報提供機能などを遂行することもできる。
【００８４】
即ち、前記購買端末（２００）は、一つ以上の友達端末に関する情報（例えば、前記友達端末の識別情報などを含む）と前記購買端末（２００）の識別情報などを前記サーバ（１００）へ伝送する。
【００８５】
以後、前記サーバ（１００）は、前記購買端末（２００）及び前記一つ以上の友達端末に前記３Ｄパノラマ画像情報を提供する。
この時、前記購買端末（２００）及び前記一つ以上の友達端末に表示される３Ｄパノラマ画像情報は、相互連動（または同期化）されて同一の３Ｄパノラマ画像情報が前記購買端末（２００）及び前記一つ以上の友達端末に表示されることもできて、相違する３Ｄパノラマ画像情報が前記購買端末（２００）及び前記一つ以上の友達端末に各々表示されることもできる。
【００８６】
以後、前記購買端末（２００）及び／または前記一つ以上の友達端末で前記特定コードが選択される場合、前記サーバ（１００）は、前記購買端末（２００）及び／または前記一つ以上の友達端末で選択された特定コードの固有識別情報などを受信する。
【００８７】
また、前記サーバ（１００）は、前記予め保存されたコード別商品及びサービス情報のうちから前記受信した特定コードの固有識別情報に対応する一つ以上の商品及びサービス情報を確認する。
【００８８】
また、前記サーバ（１００）は、前記確認した一つ以上の商品及びサービス情報を前記購買端末（２００）及び／または前記一つ以上の友達端末各々伝送することができる。
【００８９】
このように、前記サーバ（１００）、前記購買端末（２００）及び一つ以上の友達端末は、相互連動して３Ｄパノラマ画像情報提供機能、前記特定コードの固有識別情報に対応する一つ以上の商品及びサービス情報提供機能などを遂行することができる。
【００９０】
また、前記購買端末（２００）及び一つ以上の友達端末は、前記サーバ（１００）の中継機能によって文字メッセージサービス機能、音声サービス機能などを遂行することもできる。
【００９１】
また、前記サーバ（１００）は、前記購買端末（２００）から伝送される前記配送情報、前記購買端末（２００）の識別情報などを受信する。
【００９２】
ここで、前記配送情報は、当該購買端末（２００）で決済する商品やサービスを提供されるための方法（または手段）を示して、国内及び／または国外地域への宅配サービス（例えば、航空、船舶などを介した宅配サービスを含む）、マルチ商品割引クーポン発行、現場受領などを含む。
【００９３】
また、前記サーバ（１００）は、前記受信した前記配送情報、前記購買端末（２００）の識別情報などを保存する。
【００９４】
また、前記購買端末（２００）へ伝送された一つ以上の商品及びサービス情報のうちから少なくとも一つの特定商品及びサービス情報が選択される場合、前記サーバ（１００）は、前記購買端末（２００）、前記決済サーバ（３００）及び前記販売端末（４００）との連動によって前記選択された少なくとも一つの特定商品及びサービス情報に対応する決済金額に関する決済機能を遂行する。
【００９５】
即ち、前記サーバ（１００）は、前記少なくとも一つの特定商品及びサービス情報に対応する正常価金額に予め設定された割引額を適用して前記正常価金額に前記割引額が適用された金額に関する決済機能を遂行する。
【００９６】
また、前記正常価金額に前記割引額が適用された金額は、当該特定商品及びサービス情報に対応する特定商品や特定サービスが提供されている当該国家内での最低価格と同じか、または、より安い金額であることがある。
【００９７】
この時、前記購買端末（２００）で選択された特定商品及びサービス情報に対応する特定商品において、当該特定商品が予め設定された（または登録された）輸入通関不可商品（例えば、肉類、財貨、武器類、ガス類、薬などを含む）に該当する場合、前記サーバ（１００）は、前記特定商品及びサービス情報における決済機能遂行が不可であることを示す情報（または決済機能失敗情報）を前記購買端末（２００）へ伝送する。
【００９８】
ここで、前記決済機能遂行が不可であることを示す情報は、前記特定商品及びサービス情報に対応する特定商品が輸入通関不可商品に該当することを示す情報などを含む。
【００９９】
また、当該特定商品が予め設定された（または登録された）輸入通関不可商品（例えば、肉類、財貨、武器類、ガス類、薬などを含む）に該当する場合、前記サーバ（１００）は、決済機能を終了する。
【０１００】
また、前記サーバ（１００）は、前記購買端末（２００）から伝送される前記会員情報を基に前記購買端末（２００）のユーザーが自国ではなく、他国を旅して、当該他国の売場で提供する特定商品やサービス情報における決済機能を遂行する場合に限って、正常的に決済機能を遂行することができる。
【０１０１】
即ち、前記サーバ（１００）は、前記購買端末（２００）から伝送される前記会員情報内の旅行先情報に対応する国家の固有の国家番号と前記購買端末（２００）から追加に伝送される当該購買端末（２００）のユーザーに関するパスポート番号に対応する国家の国家番号間の比較、前記旅行先情報に対応する国家の国家番号と前記購買端末（２００）の識別情報に対応する国家の国家番号間の比較、前記旅行先情報に対応する国家の国家番号と複数の基地局（未図示）を介して連結される購買端末（２００）において前記複数の基地局のうち、前記購買端末（２００）に最終連結される最終段基地局の予め設定された位置情報を基に当該購買端末（２００）の位置した国家（または国家名）の国家番号間の比較（または同一／一致可否）を介して、同一である場合、決済機能を中断する。
【０１０２】
また、前記比較結果、同一ではない場合、前記サーバ（１００）は、前記特定商品やサービス情報における決済機能を遂行する。
【０１０３】
また、前記決済機能が正常的に遂行完了された後、前記サーバ（１００）は、決済機能遂行の結果（または決済情報）を前記購買端末（２００）に提供する。
【０１０４】
ここで、前記決済機能遂行の結果（または決済情報）は、少なくとも一つの商品及びサービス情報、決済日付及び時刻情報、注文商品別／サービス別の価格情報などを含む。
【０１０５】
また、前記決済機能が正常的に遂行完了された後、前記サーバ（１００）は、前記配送情報を基に前記決済された少なくとも一つの特定商品及びサービス情報に対応する特定商品や特定サービスを前記購買端末（２００）に提供する。
【０１０６】
即ち、前記配送情報に宅配サービスが含まれた場合、前記サーバ（１００）は、前記少なくとも一つの特定商品及びサービス情報に対応する特定商品や特定サービスに対応するクーポンを航空、船舶、車両などの配送手段を介して前記購買端末（２００）のユーザーに配送する。
【０１０７】
また、前記配送情報に現場受領が含まれた場合、前記サーバ（１００）は、前記決済機能遂行の結果とともに前記特定商品や特定サービスの現場受領に必要な案内情報、バーコードやＱＲコード（登録商標）型などの識別コードなどを前記購買端末（２００）へ伝送する。
【０１０８】
以後、前記購買端末（２００）のユーザーが当該特定商品や特定サービスを提供する売場に直接訪れた場合、前記販売端末（４００）で前記購買端末（２００）に保存された前記バーコードやＱＲコード（登録商標）型などの識別コードを認証（または認識）した後、前記特定商品や特定サービスを前記購買端末（２００）のユーザーに提供することができる。
【０１０９】
また、前記配送情報にマルチ商品割引クーポン発行が含まれた場合、前記サーバ（１００）は、前記特定商品や特定サービスに対応するマルチ商品割引クーポンを前記購買端末（２００）に発行（または伝送）する。
【０１１０】
ここで、前記マルチ商品割引クーポンは、前記サーバ（１００）によって生成される。
【０１１１】
即ち、前記決済機能が正常的に遂行完了された後、前記サーバ（１００）は、前記特定商品及びサービス情報に対応する正常価金額、割引額、有効期間、前記特定商品及びサービス情報に関する複数の商品及びサービスアイテムコード（または前記特定商品及びサービス情報に関する複数の商品及びサービス情報／前記特定商品及びサービス情報と同一のカテゴリ内の複数の商品及びサービス情報）、固有番号（またはマルチ商品割引クーポンの固有番号）などを含むマルチ商品割引クーポン（またはマルチサービス割引クーポン／マルチ商品及びサービス割引クーポン）を生成する。
【０１１２】
ここで、前記マルチ商品割引クーポンは、前記特定商品及びサービス情報に関する複数の商品及びサービスアイテムコードを一つのコードとグループ化した状態であって、バーコード型、ＱＲコード（登録商標）型、文字列型などに生成する。
【０１１３】
また、前記複数の商品及びサービス情報は、各々の商品名（またはサービス名）、商品固有コード（またはサービス固有コード）、商品イメージ（またはサービスの基本イメージ）、商品説明情報（またはサービス説明情報）、商品／サービスにおける体験情報、商品／サービスにおける評価情報、当該商品を販売する（または当該サービスを提供する）売場の位置情報、売場の電話番号などを含む。
【０１１４】
この時、前記文字列型のマルチ商品割引クーポンは、数字、文字、特殊文字、記号のうち、少なくとも一つの組合せによって生成されることができる。
ここで、前記商品アイテムコードは、前記商品情報内の商品固有コード（またはサービス固有コード）に対応する。
【０１１５】
また、前記商品／サービスにおける体験情報は、前記サーバ（１００）に予め登録した会員の端末で作成した体験情報、前記サーバ（１００）で提供する当該商品／サービスに関するマルチ商品割引クーポンを購買した端末で作成した体験情報などであることがある。
【０１１６】
また、前記サーバ（１００）は、前記生成されたマルチ商品割引クーポンを前記購買端末（２００）に発行する。
【０１１７】
また、前記サーバ（１００）は、一つの購買端末（２００）で購買できるマルチ商品割引クーポンの数量（または販売／決済金額）を予め設定することができる。
【０１１８】
即ち、前記サーバ（１００）は、予め設定された販売数量範囲（または販売／決済金額範囲）（例えば、１００個以内または、２千万ウォン以内）内で一つの購買端末（２００）で特定商品及びサービスに対応するマルチ商品割引クーポンを購買するように構成することができる。
【０１１９】
このように、前記サーバ（１００）は、特定商品及びサービスにおける大量購買を制限し、不正取引を防ぐことができる。
【０１２０】
また、前記決済機能が正常的に遂行完了された後、前記サーバ（１００）は、前記マルチ商品割引クーポンの購買によって追加に提供される無料割引クーポン、割引クーポン、特定ショッピングモールの商品券、在来市場の商品券などを前記購買端末（２００）に発行（または伝送）する。
【０１２１】
また、販売端末（４００）が具備された売場で特定商品及び/またはサービスを提供された後、前記購買端末（２００）に保存されたマルチ商品割引クーポンを使おうとする場合、前記サーバ（１００）は、前記購買端末（２００）、前記決済サーバ（３００）及び前記販売端末（４００）との間の連動によって、前記購買端末（２００）に保存されたマルチ商品割引クーポンにおける利用処理(または決済処理)機能を遂行する。
【０１２２】
また、前記サーバ（１００）は、前記購買端末（２００）へ伝送された（または発行された）当該マルチ商品割引クーポンにおいて利用完了状態と処理（または転換／変更）する。
【０１２３】
また、前記決済機能が正常的に遂行完了された後、当該マルチ商品割引クーポンの残額がある場合、前記サーバ（１００）は、利用可能額（または残額情報）などを含むマルチ商品割引クーポンを前記購買端末（２００）へ伝送する。
この時、前記利用可能額は、直前（または以前）利用可能額から前記決済機能遂行による決済金額を差し引いた状態の金額であることがある。
【０１２４】
また、前記決済機能が正常的に遂行完了された後、当該マルチ商品割引クーポンの残額がある場合、前記サーバ（１００）は、利用可能額（または残額情報）などを含む情報を、前記販売端末（４００）を介して前記購買端末（２００）へ伝送することもできる。
【０１２５】
また、前記決済機能が正常的に遂行完了された後、前記サーバ（１００）は、予め設定されたポイント及び／または割引クーポンを前記購買端末（２００）へ伝送する。
【０１２６】
また、前記決済機能が正常的に遂行完了された後、前記サーバ（１００）は、予め設定されたポイント及び／または割引クーポンを、前記販売端末（４００）を介して前記購買端末（２００）へ伝送することもできる。
【０１２７】
また、このような前記マルチ商品割引クーポンにおける利用によって、前記サーバ（１００）と前記決済サーバ（３００）と前記販売端末（４００）との間に手数料を分配することができる。
【０１２８】
また、前記サーバ（１００）は、前記購買端末（２００）との連動によって、前記購買端末（２００）で生成された道案内情報上の経路から予め設定された距離以内に隣接した一つ以上のお勧め情報を確認（または生成）することができる。
【０１２９】
ここで、前記お勧め情報は、前記マルチ商品割引クーポンが利用できる売場情報であることがある。
この時、前記サーバ（１００）は、前記購買端末（２００）との連動によって、前記購買端末（２００）の位置情報と前記購買端末（２００）で選択された売場情報を基に前記道案内情報を生成することもできる。
【０１３０】
また、前記サーバ（１００）は、前記確認した一つ以上のお勧め情報、前記生成された道案内情報などを前記購買端末（２００）へ伝送する。
【０１３１】
また、前記購買端末（２００）に発行されたマルチ商品割引クーポンに含まれた有効期間が予め設定された期間（例えば、有効期間から一ヶ月、有効期間から１５日、有効期間から７日、有効期間から３日、有効期間から１日などを含む）が到来して当該マルチ商品割引クーポン情報内に利用可能額（または残額）が残っている場合、前記サーバ（１００）は、マルチ商品割引クーポンの残額が残っていることを示す情報、有効期間などを含む情報を前記購買端末（２００）へ伝送する。
【０１３２】
また、前記サーバ（１００）は、前記購買端末（２００）から伝送される特定商品／サービスにおける体験情報、特定商品／サービスにおける評価情報などを受信する。
【０１３３】
また、前記サーバ（１００）は、前記受信した特定商品／サービスにおける体験情報、特定商品／サービスにおける評価情報などを当該特定商品／サービスと連動（またはマッチング）して保存する。
【０１３４】
このように、前記サーバ（１００）は、決済完了の前記少なくとも一つの特定商品及びサービス情報に対応する特定商品や特定サービスにおいて前記購買端末（２００）で設定した（または指定した）配送情報（または配送方式）によって当該特定商品や特定サービスを前記購買端末（２００）に提供することができる。
【０１３５】
また、前記サーバ（１００）は、前記決済機能が遂行された前記少なくとも一つの特定商品及びサービス情報に対応する少なくとも一つの特定商品における通関リストを生成する。
【０１３６】
ここで、前記通関リストは、前記少なくとも一つの特定商品における商品名、商品の固有識別情報、ＨＳ（Ｈａｒｍｏｎｉｚｅｄ  Ｃｏｍｍｏｄｉｔｙ  Ｄｅｓｃｒｉｐｔｉｏｎ  ａｎｄ  Ｃｏｄｉｎｇ  Ｓｙｓｔｅｍ）コード、配送料、課税運賃情報（関税、付加税、特別消費税、基準超過金、教育税、農漁村特別税、酒税などを含む）などを含む。
【０１３７】
また、前記サーバ（１００）は、前記生成された通関リストを前記購買端末（２００）へ伝送する。
【０１３８】
また、前記サーバ（１００）は、前記購買端末（２００）から伝送される当該特定商品や特定サービスの購買から到着（またはクーポン発行）までの体験情報、評価情報、前記購買端末（２００）の識別情報などを受信する。
【０１３９】
また、前記サーバ（１００）は、前記受信した体験情報、評価情報などを該当する特定商品や特定サービスにマッチングして保存する。
【０１４０】
前記購買端末（２００）は、前記サーバ（１００）、前記決済サーバ（３００）、前記販売端末（４００）などと通信する。
【０１４１】
また、前記購買端末（２００）は、前記サーバ（１００）との連動によって、前記購買端末（２００）のユーザーにおける会員加入の手続きを各々遂行する。
【０１４２】
また、前記会員加入の手続き遂行する時に、前記購買端末（２００）は、本人認証手段（例えば、移動電話、クレジットカード、ｉ−ＰＩＮなどを含む）を介した認証機能を完了してから前記サーバ（１００）における会員加入の手続きを正常的に完了することができる。
【０１４３】
また、前記購買端末（２００）に予め設置したアプリが実行される場合、前記購買端末（２００）は、アプリの実行結果の画面を表示する。
【０１４４】
ここで、前記アプリの実行結果の画面は、会員情報を伝送するための会員情報項目（またはメニュー／ボタン）、３Ｄパノラマ画像を検索及び表示するための３Ｄパノラマ画像情報項目、アプリの機能を設定するための設定項目、購買端末（２００）を介して購買したマルチ商品割引クーポンや旅行先の目録などを管理するためのマイページ項目などを含む。
【０１４５】
この時、前記購買端末（２００）は、バックグラウンド状態で当該アプリに関するサーバ（１００）と通信する。
【０１４６】
また、前記購買端末（２００）に表示されるアプリの実行結果の画面のうち、会員情報項目が選択される場合、前記購買端末（２００）は、前記選択された会員情報項目に対応する会員情報を入力してもらう（または受信する）ための会員情報画面を表示する。
【０１４７】
また、前記購買端末（２００）は、ユーザー入力（またはユーザータッチ）による会員情報を受信する。ここで、前記会員情報は、姓名、住所、使用言語、配送先情報、旅行先情報、ショッピングオブジェクトの種類（例えば、アバター類、エモーティコン類などを含む）などを含む。
【０１４８】
また、前記購買端末（２００）は、前記受信した会員情報、前記購買端末（２００）の識別情報などを前記サーバ（１００）へ伝送する。
ここで、前記購買端末（２００）の識別情報は、ＭＤＮ（Ｍｏｂｉｌｅ  Ｄｉｒｅｃｔｏｒｙ  Ｎｕｍｂｅｒ）、モバイルＩＰ、モバイルＭＡＣ、Ｓｉｍ（ｓｕｂｓｃｒｉｂｅｒ  ｉｄｅｎｔｉｔｙ  ｍｏｄｕｌｅ：加入者識別モジュール）カード固有情報、シリアル番号などを含む。
【０１４９】
また、前記購買端末（２００）は、前記伝送された会員情報に応じて前記サーバ（１００）から伝送される前記会員情報内の旅行先情報に対応する３Ｄパノラマ画像情報を受信する。
【０１５０】
ここで、前記３Ｄパノラマ画像情報は、実際のオフライン状況の画像情報に、前記オフライン状況の画像情報に含まれた売場、ＰＯＰ、ちらし、バナー広告、掲示板広告、ポスター広告、看板、価格表などを含むオブジェクトに各々対応する一つ以上のコードが追加された状態であることがある。
【０１５１】
また、前記オブジェクトは当該オフライン状況の画像情報に含まれる各売場内で提供する商品及びサービスは除いた状態と定義する。また、前記オブジェクトに対応するコードは、バーコード、ＱＲコード（登録商標）、文字列コードなどの型であり、前記オブジェクトに関する一つ以上の商品情報、一つ以上のサービス情報などを含む。
【０１５２】
また、前記購買端末（２００）は、前記受信した３Ｄパノラマ画像情報を表示する。
【０１５３】
また、前記購買端末（２００）は、前記会員情報内のショッピングオブジェクトの種類を基にユーザー入力によって前記３Ｄパノラマ画像情報内で当該ショッピングオブジェクトを移動させながら前記３Ｄパノラマ画像情報を表示する。
【０１５４】
また、前記会員情報を前記サーバへ伝送した後、前記購買端末（２００）に表示される前記アプリの実行結果の画面のうち、前記３Ｄパノラマ画像情報項目が選択される場合、前記購買端末（２００）は、前記購買端末（２００）の現在位置情報または前記旅行先情報などを前記サーバ（１００）へ伝送し、前記伝送された前記購買端末（２００）の現在位置情報または前記旅行先情報に応じて前記サーバ（１００）から伝送される３Ｄパノラマ画像情報｛例えば、前記購買端末（２００）の現在位置情報に対応する３Ｄパノラマ画像情報、前記旅行先情報に対応する３Ｄパノラマ画像情報など含む｝を受信して、前記受信した３Ｄパノラマ画像情報を表示することもできる。
【０１５５】
また、前記購買端末（２００）に表示される３Ｄパノラマ画像情報に含まれた特定コードが選択される場合、前記購買端末（２００）は、前記選択された特定コードの固有識別情報、前記購買端末（２００）の識別情報などを前記サーバ（１００）へ伝送する。
【０１５６】
この時、前記購買端末（２００）に表示される３Ｄパノラマ画像情報に含まれた商品が選択される場合、前記購買端末（２００）は、特別な機能を遂行しないか、または、前記選択された商品に対応して予め保存された商品情報を表示することができる。
【０１５７】
また、前記購買端末（２００）は、前記伝送された特定コードの固有識別情報に応じて前記サーバ（１００）から伝送される一つ以上の商品及びサービス情報（または前記特定コードの固有識別情報に対応する一つ以上の商品及びサービス情報）を受信する。
【０１５８】
また、前記購買端末（２００）は、前記受信した一つ以上の商品及びサービス情報を表示する。この時、前記購買端末（２００）は、当該一つ以上の商品及びサービス情報において予め設定された基準（例えば、販売量順、価格順などを含む）によって前記一つ以上の商品及びサービス情報を自動に並び替えて、前記並び替えられた商品及びサービス情報を表示することもできる。
【０１５９】
このように、本発明の実施例によると、前記３Ｄパノラマ画像情報に含まれた商品が選択（またはタッチ）される場合、前記購買端末（２００）及び／または前記サーバ（１００）で前記選択された商品を認識し、前記購買端末（２００）で前記認識された商品の固有識別情報に対応する商品情報を表示する構成の代わりに、前記商品に関する情報に関するＰＯＰ、ちらし、バナー広告、掲示板広告、ポスター広告、看板、価格表などについて予め設定されたコードが前記３Ｄパノラマ画像情報に含まれた状態で、前記３Ｄパノラマ画像情報内の特定コードが選択される場合、前記購買端末（２００）で前記サーバ（１００）から提供される当該特定コードに対応する一つ以上の商品及びサービス情報を受信及び表示することによって、前記商品の選択による認識失敗の可能性をなくして、より正確な情報を提供することができる。
【０１６０】
また、前記購買端末（２００）は、ユーザー入力による配送情報、前記購買端末（２００）の識別情報などを前記サーバ（１００）へ伝送する。
ここで、前記配送情報は、当該購買端末（２００）で決済する商品やサービスを提供されるための方法（または手段）を示して、宅配サービス（例えば、航空、船舶などを介した宅配サービスを含む）、マルチ商品割引クーポン発行、現場受領などを含む。
【０１６１】
また、前記購買端末（２００）は、前記購買端末（２００）に表示される一つ以上の商品及びサービス情報のうちから選択される少なくとも一つの特定商品及びサービス情報を基に前記サーバ（１００）、決済サーバ（３００）及び販売端末（４００）との連動によって決済機能を遂行する。
【０１６２】
この時、前記購買端末（２００）で選択された特定商品及びサービス情報に対応する特定商品において、当該特定商品が予め設定された（または登録された）輸入通関不可商品（例えば、肉類、財貨、武器類、ガス類、薬などを含む）に該当する場合、前記購買端末（２００）は、前記サーバ（１００）から伝送される前記特定商品及びサービス情報における決済機能遂行が不可であることを示す情報（または決済機能失敗情報）を受信する。
【０１６３】
ここで、前記決済機能遂行が不可であることを示す情報は、前記特定商品及びサービス情報に対応する特定商品が輸入通関不可商品に該当することを示す情報などを含む。
【０１６４】
また、前記購買端末（２００）は、前記受信した前記特定商品及びサービス情報における決済機能遂行が不可であることを示す情報を表示する。
【０１６５】
また、前記購買端末（２００）で選択された特定商品及びサービス情報に対応する特定商品が予め設定された（または登録された）輸入通関不可商品（例えば、肉類、財貨、武器類、ガス類、薬などを含む）に該当しない場合、前記購買端末（２００）は、前記サーバ（１００）、決済サーバ（３００）及び販売端末（４００）との連動によって前記特定商品及びサービス情報に対応する特定商品及び／または特定サービスに該当する決済金額における決済機能を遂行する。
【０１６６】
この時、前記決済機能遂行する時に、前記購買端末（２００）は、前記特定商品及びサービス情報に対応する正常価金額に予め設定された割引額を適用して前記正常価金額に前記割引額が適用された金額における決済機能を遂行する。
【０１６７】
また、前記正常価金額に前記割引額が適用された金額は、当該特定商品及びサービス情報に対応する特定商品や特定サービスが提供されている当該国家内での最低価格と同じか、または、より安い金額であることがある。
【０１６８】
このように、旅行者達は、複数の加盟店で当該地域を代表する特定商品及びサービスを現地の人と同一か、または、より安く購買することができる。
【０１６９】
また、前記決済機能が正常的に遂行完了された後、前記購買端末（２００）は、前記サーバ（１００）、または、前記決済サーバ（３００）から提供される決済機能遂行の結果（または決済情報）を受信する。ここで、前記決済機能遂行の結果（または決済情報）は、商品及びサービス情報、決済日付及び時刻情報、注文商品別／サービス別の価格情報などを含む。
また、前記購買端末（２００）は、前記受信した決済機能遂行の結果を表示する。
【０１７０】
このように、前記購買端末（２００）は、オフライン売場を実際に訪れなくても商品及び／またはサービスを検索したり、現地の人と同一か、より安い価格で商品及び／またはサービスにおいて旅行先で直接売場を訪れて利用可能の旅行者専用マルチ商品割引クーポンを購買したり、売場を訪れなくても購買した商品を配送してもらうことができて、旅行先ショッピングや個人輸入による商品やサービスの選択の幅が改善／拡大されることができる。
【０１７１】
即ち、中国、アメリカなどの海外で３Ｄパノラマ画像を介して大韓民国内のデパートや東大門ショッピングモールを検索してショッピングする場合において、実際と同じオフライン売場のショッピング情報を収集して、関心商品の価格比較、購買（または決済）機能、配送機能までワンストップ（ｏｎｅ  ｓｔｏｐ）ショッピングで遂行することができて、ユーザーの便宜性を向上させることはもちろん、オンラインショッピングモールのない町の小型商店と在来市場の商品も本発明を介して商品情報提供ができるとともに販売機能まで遂行することによって、オンライン電子商取引産業の新しい大変革の転換点をもたらすことができる。
【０１７２】
また、オンラインショッピングモールの度を過ぎた商品デザインページを作成するのに所要する費用と時間を節減することができる。
【０１７３】
また、前記購買端末（２００）は、使用言語によって前記サーバ（１００）から提供される当該使用言語が適用された前記３Ｄパノラマ画像、商品及びサービス情報などが提供されることができる。
【０１７４】
また、前記決済機能が正常的に遂行完了された後、前記購買端末（２００）は、前記サーバ（１００）から提供される前記決済された少なくとも一つの特定商品及びサービス情報に対応する特定商品や特定サービスが提供される。
【０１７５】
即ち、前記配送情報に宅配サービスが含まれた場合、前記購買端末（２００）は、前記サーバ（１００）から提供される前記少なくとも一つの特定商品及びサービス情報に対応する特定商品や特定サービスに対応するクーポンが航空、船舶、車両などの配送手段を介して提供される。
【０１７６】
また、前記配送情報に現場受領が含まれた場合、前記購買端末（２００）は、前記サーバ（１００）から前記決済機能遂行の結果とともにされる前記特定商品や特定サービスの現場受領に必要な案内情報、バーコードやＱＲコード（登録商標）型などの識別コードなどを受信する。
【０１７７】
また、前記購買端末（２００）は、前記受信した前記特定商品や特定サービスの現場受領に必要な案内情報、バーコードやＱＲコード（登録商標）型などの識別コードなどを表示する。
【０１７８】
また、前記購買端末（２００）のユーザーが当該特定商品や特定サービスを提供する売場に直接訪れた場合、前記販売端末（４００）で前記購買端末（２００）に保存された前記バーコードやＱＲコード（登録商標）型などの識別コードを認証（または認識）した後、前記特定商品や特定サービスを前記購買端末（２００）のユーザーに提供することができる。
【０１７９】
また、前記配送情報にマルチ商品割引クーポン発行が含まれた場合、前記購買端末（２００）は、前記サーバ（１００）から発行される（または伝送／される）前記特定商品や特定サービスに対応するマルチ商品割引クーポンを受信する。
【０１８０】
ここで、前記マルチ商品割引クーポンは、前記特定商品及びサービス情報に対応する正常価金額、割引額、有効期間、前記特定商品及びサービス情報に関する複数の商品及びサービスアイテムコード（または、前記特定商品及びサービス情報に関する複数の商品及びサービス情報／前記特定商品及びサービス情報と同一のカテゴリ内の複数の商品及びサービス情報）、固有番号（または、マルチ商品割引クーポンの固有番号）などを含む。
【０１８１】
また、前記マルチ商品割引クーポンは、前記特定商品及びサービス情報に関する複数の商品及びサービスアイテムコードを一つのコードとグループ化した状態であって、バーコード型、ＱＲコード（登録商標）型、文字列型などで生成する。
【０１８２】
また、前記複数の商品及びサービス情報は、各々の商品名（またはサービス名）、商品固有コード（またはサービス固有コード）、商品イメージ（またはサービスの基本イメージ）、商品説明情報（またはサービス説明情報）、商品／サービスにおける体験情報、商品／サービスにおける評価情報、当該商品を販売する（または当該サービスを提供する）売場の位置情報、売場の電話番号などを含む。
【０１８３】
この時、前記文字列型のマルチ商品割引クーポンは、数字、文字、特殊文字、記号のうち、少なくとも一つの組合せによって生成されることができる。ここで、前記商品アイテムコードは、前記商品情報内の商品固有コード（またはサービス固有コード）に対応する。
【０１８４】
また、前記商品／サービスにおける体験情報は、前記サーバ（１００）に予め登録した会員の端末で作成した体験情報、前記サーバ（１００）で提供する当該商品／サービスに関連するマルチ商品割引クーポンを購買した端末で作成した体験情報などであることがある。
【０１８５】
また、前記購買端末（２００）は、前記マルチ商品割引クーポンの購買によって前記サーバ（１００）から追加に提供される無料割引クーポン、割引クーポン、特定ショッピングモールの商品券、在来市場の商品券などを受信する。
【０１８６】
また、前記購買端末（２００）は、前記受信したマルチ商品割引クーポンを保存及び表示する。
【０１８７】
また、前記購買端末（２００）は、前記受信した無料割引クーポン、割引クーポン、特定ショッピングモールの商品券、在来市場の商品券などを保存及び表示する。
【０１８８】
このように、前記配送情報にマルチ商品割引クーポン発行が含まれた場合、前記購買端末（２００）は、マルチ商品割引クーポンにおいて予め設定された販売数量範囲（または販売／決済金額範囲）（例えば、１００個以内または、２千万ウォン以内）内で前記マルチ商品割引クーポンを購買することができる。
【０１８９】
また、このように、購買端末（２００）で購買できるマルチ商品割引クーポンの数量、または、金額を制限することによって、不正取引を防ぐことができる。
【０１９０】
また、前記購買端末（２００）は、前記サーバ（１００）から伝送される通関レシートを受信する。ここで、前記通関リストは、前記少なくとも一つの特定商品における商品名、商品の固有識別情報、ＨＳコード、配送料、課税運賃情報（関税、付加税、特別消費税、基準超過金、教育税、農漁村特別税、酒税などを含む）などを含む。
【０１９１】
また、前記購買端末（２００）は、前記受信した通関リストを表示する。
【０１９２】
また、前記購買端末（２００）は、前記少なくとも一つの特定商品及びサービスにおいて、当該特定商品や特定サービスの購買から到着（またはクーポン発行）までの体験情報、評価情報、前記購買端末（２００）の識別情報などを前記サーバ（１００）へ伝送する。
【０１９３】
また、前記購買端末（２００）の現在位置情報が前記購買端末（２００）に保存されたマルチ商品割引クーポンが利用できる地域（または特定国家内の地域）内に位置する場合｛または前記購買端末（２００）で前記サーバ（１００）に予め登録した旅行期間情報に該当する旅行期間内に前記購買端末（２００）の現在位置情報が前記購買端末（２００）に保存されたマルチ商品割引クーポンが利用できる地域内に位置する場合｝、前記購買端末（２００）は、当該購買端末（２００）に保存されたマルチ商品割引クーポンが利用できる一つ以上の売場情報（または売場の位置情報）を表示する。
【０１９４】
この時、前記購買端末（２００）は、ＧＰＳ受信機（未図示）を含むことができる。ここで、前記ＧＰＳ受信機は、衛星から伝送されたＧＰＳ信号を受信して、前記受信したＧＰＳ信号に含まれた経度座標及び緯度座標を基に前記購買端末（２００）の位置データをリアルタイムで発生させる。
【０１９５】
ここで、前記発生された位置データは、前記購買端末（２００）の現在位置（または現在位置データ）と定義する。ここで、前記ＧＰＳ受信機のみならず、ワイファイ（Ｗｉ−Ｆｉ）、または、ワイブロ（Ｗｉｂｒｏ）通信を介して位置情報を受信することもできる。
【０１９６】
また、前記ＧＰＳ受信機を介して受信される信号は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）で提案した無線ＬＡＮ及び一部の赤外線通信などを含む無線ＬＡＮにおける無線ネットワークの標準規格である８０２．１１と、ブルートゥース、ＵＷＢ、ジグビーなどを含む無線ＰＡＮ（Ｐｅｒｓｏｎａｌ  Ａｒｅａ  Ｎｅｔｗｏｒｋ）における標準規格である８０２．１５と、固定無線アクセス（Ｆｉｘｅｄ  Ｗｉｒｅｌｅｓｓ  Ａｃｃｅｓｓ：ＦＷＡ）などを含む無線ＭＡＮ（Ｍｅｔｒｏｐｏｌｉｔａｎ  Ａｒｅａ  Ｎｅｔｗｏｒｋ）、ブロードバンド無線接続（Ｂｒｏａｄｂａｎｄ  Ｗｉｒｅｌｅｓｓ  Ａｃｃｅｓｓ：ＢＷＡ）における標準規格である８０２．１６と、ワイブロ（Ｗｉｂｒｏ）、ワイマックス（ＷｉＭＡＸ）などを含む無線ＭＡＮ（Ｍｏｂｉｌｅ  Ｂｒｏａｄｂａｎｄ  Ｗｉｒｅｌｅｓｓ  Ａｃｃｅｓｓ：ＭＢＷＡ）におけるモバイルインターネットにおける標準規格である８０２．２０などの無線通信方式を用いて端末機の位置情報を前記購買端末（２００）に提供するように構成することもできる。
【０１９７】
また、購買端末（２００）に表示される当該購買端末（２００）に保存されたマルチ商品割引クーポンが利用できる一つ以上の売場情報のうち、特定売場情報が選択される場合、前記購買端末（２００）は、前記購買端末（２００）の現在位置情報と前記選択された特定売場情報（または特定売場の位置情報）を基に前記購買端末（２００）の現在位置から当該特定売場情報に対応する売場までの道案内情報を生成する。
【０１９８】
この時、前記購買端末（２００）は、前記サーバ（１００）との連動によって、前記生成された道案内情報上の経路から予め設定された距離以内に隣接した一つ以上のお勧め情報を確認（または生成）することもできる。
【０１９９】
ここで、前記お勧め情報は、前記マルチ商品割引クーポンが利用できる売場情報であることがある。この時、前記道案内情報は、前記サーバ（１００）との連動によって３Ｄパノラマ画像情報型で生成されることもできる。
【０２００】
また、前記購買端末（２００）は、前記生成された道案内情報、前記生成された一つ以上のお勧め情報などを表示する。
【０２０１】
このように、前記購買端末（２００）は、３Ｄパノラマ画像、アバター（またはエモーティコン）などを活用して、仮想現実的に前記購買端末（２００）のユーザーの動線を考えてオフライン売場を訪れる時、当該アバターを付いて行くように道案内情報を提供することによって、興味を誘発させてユーザーの便宜性を向上させることができる。
【０２０２】
また、販売端末（４００）が具備された売場で特定商品及び／またはサービスを提供された後、前記購買端末（２００）に保存されたマルチ商品割引クーポンを使おうとする場合、前記購買端末（２００）は、前記サーバ（１００）、前記決済サーバ（３００）及び前記販売端末（４００）との間の連動によって、前記購買端末（２００）に保存されたマルチ商品割引クーポンにおける利用処理（または決済処理）機能を遂行する。
【０２０３】
また、前記購買端末（２００）に保存されたマルチ商品割引クーポンにおける利用処理が完了された場合、前記購買端末（２００）は、前記購買端末（２００）に保存されたマルチ商品割引クーポンは、重複利用（または再利用）が禁止されるように廃棄処理する。
【０２０４】
また、前記決済機能が正常的に遂行完了された後、当該マルチ商品割引クーポンの残額がある場合、前記購買端末（２００）は、前記サーバ（１００）から伝送される利用可能額（または残額情報）などを含むマルチ商品割引クーポンを表示したり、または、前記販売端末（４００）から提供される領収書などの印刷物を介して前記サーバ（１００）から伝送される利用可能額（または残額情報）などを含むマルチ商品割引クーポンを出力したりする。
この時、前記利用可能額は、直前（または以前)利用可能額から前記決済機能遂行による決済金額を差し引いた状態の金額であることがある。
【０２０５】
また、前記決済機能が正常的に遂行完了された後、前記購買端末（２００）は、前記販売端末（４００）から伝送（または発行）される予め設定されたポイント及び／または割引クーポンを受信する。
【０２０６】
また、前記購買端末（２００）は、前記受信した予め設定されたポイント及び／または割引クーポンを表示及び保存する。
【０２０７】
また、前記購買端末（２００）は、前記マルチ商品割引クーポンに含まれた有効期間を基に当該有効期間が予め設定された期間（例えば、有効期間から一ヶ月、有効期間から１５日、有効期間から７日、有効期間から３日、有効期間から１日などを含む）が到来して当該マルチ商品割引クーポン情報内に利用可能額（または残額）が残っている場合、マルチ商品割引クーポンの残額が残っていることを示す情報、有効期間などを含む情報を前記予め設定された期間ごとに表示する。
【０２０８】
この時、前記マルチ商品割引クーポンの残額が残っていることを示す情報、有効期間などを含む情報は、前記サーバ（１００）から提供されることもできる。
【０２０９】
また、前記購買端末（２００）は、当該購買端末（２００）のユーザー入力による特定商品／サービスにおける体験情報、特定商品／サービスにおける評価情報などを受信する。
【０２１０】
この時、前記購買端末（２００）は、特定商品／サービスにおいて予め設定された個数以内の体験情報、評価情報などを受信するように構成して、同一ユーザーによる多量の体験情報や評価情報提供を防いで、当該体験情報、評価情報などにおける信頼性を高めることができる。
【０２１１】
また、前記購買端末（２００）は、前記受信した商品／サービスにおける体験情報、商品／サービスにおける評価情報、前記購買端末（２００）の識別情報などを前記サーバ（１００）へ伝送する。
【０２１２】
前記決済サーバ（３００）は、前記サーバ（１００）、前記購買端末（２００）、前記販売端末（４００）などと通信する。
【０２１３】
また、前記決済サーバ（３００）は、前記購買端末（２００）、前記サーバ（１００）、前記販売端末（４００）などとの連動によって、前記購買端末（２００）で選択された特定商品及びサービス情報における決済機能を遂行する。
この時、前記決済機能遂行する時に、前記決済サーバ（３００）は、前記特定商品及びサービス情報に対応する正常価金額に予め設定された割引額を適用して前記正常価金額に前記割引額が適用された金額における決済機能を遂行する。
【０２１４】
また、前記正常価金額に前記割引額が適用された金額は、当該特定商品及びサービス情報に対応する特定商品や特定サービスが提供されている当該国家内での最低価格と同じか、または、より安い金額であることがある。
【０２１５】
また、前記決済機能が正常的に遂行完了された後、前記決済サーバ（３００）は、前記決済機能遂行の結果（または決済情報）を前記購買端末（２００）に提供する。ここで、前記決済機能遂行の結果（または決済情報）は、商品及びサービス情報、決済日付及び時刻情報、注文商品別／サービス別の価格情報などを含む。
【０２１６】
また、販売端末（４００）が具備された売場で特定商品及び／またはサービスを提供された後、前記購買端末（２００）に保存されたマルチ商品割引クーポンを使おうとする場合、前記決済サーバ（３００）は、前記購買端末（２００）、前記サーバ（１００）及び前記販売端末（４００）との間の連動によって、前記購買端末（２００）に保存されたマルチ商品割引クーポンにおける利用処理（または決済処理）機能を遂行する。
【０２１７】
前記販売端末（４００）は、売場に備えるＰＯＳ（Ｐｏｉｎｔ  ｏｆ  Ｓａｌｅｓ）端末などであることがある。
【０２１８】
また、前記販売端末（４００）は、任意の売場に具備（または設置）される。
また、前記販売端末（４００）は、前記サーバ（１００）との連動によって、前記販売端末（４００）のユーザーにおける会員加入の手続きを遂行する。
【０２１９】
また、前記会員加入の手続き遂行する時に、前記販売端末（４００）は、本人認証手段（例えば、移動電話、クレジットカード、ｉ−ＰＩＮなどを含む）を介した認証機能を完了した後に、前記サーバ（１００）における会員加入の手続きを正常的に完了することができる。
【０２２０】
また、前記販売端末（４００）は、前記サーバ（１００）、前記購買端末（２００）、前記決済サーバ（３００）などと通信する。
【０２２１】
また、前記販売端末（４００）は、前記購買端末（２００）、前記サーバ（１００）、前記決済サーバ（３００）などとの連動によって、前記購買端末（２００）で選択された特定商品及びサービス情報における決済機能を遂行する。
【０２２２】
また、前記販売端末（４００）は、前記サーバ（１００）、または、前記決済サーバ（３００）から伝送される前記決済機能遂行による前記決済機能遂行の結果（または決済情報）、前記サーバ（１００）から発行されるマルチ商品割引クーポンの販売数量などを受信する。
【０２２３】
また、前記販売端末（４００）は、前記受信した決済機能遂行の結果、前記マルチ商品割引クーポンの販売数量などを基に前記販売端末（４００）と関連する売場内の商品在庫管理機能を遂行することができる。
【０２２４】
また、前記販売端末（４００）は、前記受信した決済機能遂行の結果、前記マルチ商品割引クーポンの販売数量などを基に顧客関係管理（Ｃｕｓｔｏｍ  Ｒｅｌａｔｉｏｎ  Ｍａｎａｇｅｍｅｎｔ：ＣＲＭ）マーケッティングを適用して、当該販売端末（４００）に関する売場で提供する商品やサービスにおけるマーケッティング機能を遂行することができる。
【０２２５】
このように、前記販売端末（４００）が別途のちらし広報やマーケッティング活動なしで商品やサービス販売自体のみで短期間、前記販売端末（４００）に関する売場が位置した当該地域を訪れる旅行客の集客ができて、事前に販売されたマルチ商品割引クーポンを介して予想売上と訪問予定顧客の数の把握ができて、在庫確保、人力配置などをすることができて、管理の効率を向上させることができる。
【０２２６】
また、このように、オンライン販売時、過度に所要される広告及び広報デザインページを３Ｄパノラマ画像と取り替えることによって、前記販売端末（４００）は、過度の広告費を大幅減らすことができて費用を節減することができる。
【０２２７】
また、販売端末（４００）が具備された売場で特定商品及び／またはサービスを提供された後、前記購買端末（２００）に保存されたマルチ商品割引クーポンを使おうとする場合、前記販売端末（４００）は、バーコード型、ＱＲコード（登録商標）型などで前記購買端末（２００）に保存されたマルチ商品割引クーポン（または当該マルチ商品割引クーポンの固有番号）を認識する。
【０２２８】
即ち、前記マルチ商品割引クーポンを所持した前記購買端末（２００）のユーザーが、前記販売端末（４００）が具備された売場に訪れて当該売場で販売する一つ以上の商品を購買するか、当該売場で提供するサービスを提供された後、当該サービスにおける代価を払うために当該マルチ商品割引クーポンを介した決済機能を遂行しようとする場合、前記販売端末（４００）は、前記購買端末（２００）に保存された（または発行された）マルチ商品割引クーポンの固有番号（または当該マルチ商品割引クーポンの情報）を認識する。この時、前記販売端末（４００）は、当該販売端末（４００）に具備された認識部（例えば、バーコード認識部、ＱＲコード（登録商標）認識部などを含む）を介して当該マルチ商品割引クーポンを認識することができる。
【０２２９】
また、前記販売端末（４００）は、前記認識されたマルチ商品割引クーポン（またはマルチ商品割引クーポンの固有番号）を基に前記購買端末（２００）、前記サーバ（１００）及び前記決済サーバ（３００）との間の連動によって、前記購買端末（２００）に保存されたマルチ商品割引クーポンにおける利用処理（または決済処理）機能を遂行する。
【０２３０】
また、前記販売端末（４００）は、前記購買端末（２００）へ伝送された（または発行された）当該マルチ商品割引クーポンにおいて利用完了状態と処理（または転換／変更）する。
【０２３１】
また、当該マルチ商品割引クーポンにおける利用処理（または決済機能遂行）が完了された後、前記販売端末（４００）は、当該マルチ商品割引クーポンにおける利用処理結果を表示する。
【０２３２】
ここで、前記マルチ商品割引クーポンにおける利用処理結果は、売場名、売場の位置、売場の連絡先、商品及びサービス情報、決済日付及び時刻情報、注文商品別／サービス別の価格情報などを含む。
【０２３３】
また、当該マルチ商品割引クーポンにおける利用処理（または決済機能遂行）が完了された後、前記販売端末（４００）は、領収書などの印刷物を介して前記マルチ商品割引クーポンにおける利用処理結果を出力する。
【０２３４】
また、当該マルチ商品割引クーポンにおける利用処理（または決済機能遂行）が完了された後、当該マルチ商品割引クーポンの残額がある場合、前記販売端末（４００）は、前記サーバ（１００）から伝送される当該マルチ商品割引クーポンでの利用可能額（または残額情報／アップデートされた利用可能額)などを含む情報を受信する。
【０２３５】
また、前記販売端末（４００）は、前記受信した当該マルチ商品割引クーポンでの利用可能額などを含む情報を表示したり、または、前記領収書などの印刷物を介して出力したりする。
【０２３６】
また、当該マルチ商品割引クーポンにおける利用処理（または決済機能遂行）が完了された後、前記販売端末（４００）は、予め設定されたポイント及び／または割引クーポンを前記購買端末（２００）へ伝送（または発行）する。
【０２３７】
ここで、前記ポイント及び／または割引クーポンは、前記マルチ商品割引クーポンにおける利用処理結果にともに含まれた状態であるか、前記発行される領収書に含まれることができる。
【０２３８】
このように、売場に陳列された商品や街におけるロードビュー上の売場における３Ｄパノラマ画像に当該商品や売場と関連するタグを含めさせて仮想現実を具現することができる。
【０２３９】
また、このように、商品や売場と関連するタグが含まれた３Ｄパノラマ画像で前記商品や売場と関連するタグが選択される場合、前記選択されたタグに関する商品や売場における情報を提供し、前記提供される商品や売場における情報のうちから特定商品や売場における情報に対応する旅行者専用プリペイドマルチ商品割引クーポンの決済機能を遂行することができる。
【０２４０】
以下からは、本発明による３Ｄパノラマ画像に基づく旅行先ワンストップショッピングシステムの制御方法を図１乃至図１５を参照して詳しく説明する。
【０２４１】
図８及び図９は、本発明の実施例による３Ｄパノラマ画像に基づく旅行先ワンストップショッピングシステムの制御方法を示した流れ図である。
【０２４２】
まず、サーバ（１００）は、当該サーバ（１００）に含まれた複数のカメラ（未図示）を介してオフライン上の一つ以上の売場、当該売場内の商品、ＰＯＰ、ちらし、バナー広告、掲示板広告、ポスター広告、看板、価格表などを含む第１画像と第２画像を撮影する。
【０２４３】
ここで、前記売場は、デパート、ショッピングモール、アウトレット、飲食店、病院、ビルディング（または建築物）などを含む。
【０２４４】
一例をあげると、前記サーバ（１００）は、第１１カメラ及び第１２カメラを介して大型ショッピングモール内の複数の商品を含む第１１画像及び第１２画像を各々撮影する。
【０２４５】
他の例をあげると、前記サーバ（１００）は、第２１カメラ及び第２２カメラを介してオフライン上の複数の売場を含む第２１画像及び第２２画像を各々撮影する（Ｓ８１０）。
【０２４６】
以後、前記サーバ（１００）は、前記撮影した第１画像及び第２画像においてピクセルの方向性を基準として、前記第１画像及び第２画像が重畳する重畳領域を獲得する。
【０２４７】
また、前記サーバ（１００）は、前記獲得した重畳領域を基準として、前記第１画像及び第２画像を合成して予備パノラマ画像を生成する。この時、前記サーバ（１００）は、予め公知された様々な合成方法によって前記撮影した第１画像及び第２画像を合成して予備パノラマ画像を生成することができる。
【０２４８】
一例をあげると、前記サーバ（１００）は、前記撮影された第１１画像及び第１２画像の重畳される重畳領域を基準として、前記第１１画像及び第１２画像を合成して第１予備パノラマ画像を生成する。
【０２４９】
他の例をあげると、前記サーバ（１００）は、前記撮影された第２１画像及び第２２画像の重畳される重畳領域を基準として、前記第２１画像及び第２２画像を合成して第２予備パノラマ画像を生成する（Ｓ８２０）。
【０２５０】
以後、前記サーバ（１００）は、前記予備パノラマ画像内に含まれた一つ以上のオブジェクトを各々認識する。ここで、前記オブジェクトは、前記オフライン上に位置する各々の売場であることもあり、前記オフライン上に位置するか、各売場内に位置するＰＯＰ、ちらし、バナー広告、掲示板広告、ポスター広告、看板、価格表などを含むことができる。
この時、本発明での前記オブジェクトは、各売場内で提供する商品及びサービスを除いた状態であることがある。
【０２５１】
即ち、前記サーバ（１００）は、前記予備パノラマ画像内に含まれた一つ以上の売場を各々認識するか、前記予備パノラマ画像内に含まれたＰＯＰ、ちらし、バナー広告、掲示板広告、ポスター広告、看板、価格表などを各々認識する。
【０２５２】
一例をあげると、前記サーバ（１００）は、前記第１予備パノラマ画像に含まれた第１ＰＯＰ、第２ＰＯＰ、第１価格表、第２価格表、第３価格表及び第４価格表を各々認識する。
【０２５３】
他の例をあげると、前記サーバ（１００）は、前記第２予備パノラマ画像に含まれた複数の売場（例えば、オフライン上に位置する第１内科医院、第１薬局、第１コンビニ、第１自動車、第１形成外科、第２形成外科、第２薬局、第１整形外科、第２コンビニなどを含む）を各々認識する（Ｓ８３０）。
【０２５４】
以後、前記サーバ（１００）は、前記認識した一つ以上のオブジェクトに各々対応するコードを前記予備パノラマ画像内の当該オブジェクト上の一部の領域に追加（または挿入）するか、または、前記オブジェクトに接して追加（または挿入）して３Ｄパノラマ画像を生成する。
【０２５５】
ここで、前記コードは、バーコード、ＱＲコード（登録商標）、文字列コードなどの型であり、前記認識したオブジェクトに関する一つ以上の商品情報、一つ以上のサービス情報などを含む。
【０２５６】
また、前記文字列コードは、言語別文字、数字、記号などの組合せによって構成することができる。この時、前記商品情報は、商品名、商品固有コード、商品イメージ、商品説明情報、商品における体験情報、商品における評価情報、当該商品を販売する売場の位置情報、売場の電話番号などを含む。
【０２５７】
また、前記サービス情報は、サービス名、サービス固有コード、サービスの基本イメージ、サービス説明情報、サービスにおける体験情報、サービスにおける評価情報、当該サービスを提供する売場の位置情報、売場の電話番号などを含む。
【０２５８】
また、前記サーバ（１００）は、言語別の特性を考えて言語別に前記３Ｄパノラマ画像を生成することもできる。
【０２５９】
一例をあげると、前記サーバ（１００）は、前記認識した第１ＰＯＰに対応する複数の商品情報を含む第１バーコード、前記認識した第２ＰＯＰに対応する他の複数の商品情報を含む第２バーコード、前記認識された第１価格表に対応する商品であるりんごにおける商品情報を含む第３バーコード、前記認識した第２価格表に対応する商品である甘ウリに対応する商品情報を含む第４バーコード、前記認識した第３価格表に対応する商品であるスイカに対応する商品情報を含む第５バーコード及び前記認識した第４価格表に対応する商品であるブドウに対応する商品情報を含む第６バーコードの各々を前記第１ＰＯＰ、第２ＰＯＰ、第１価格表、第２価格表、第３価格表及び第４価格表に各々隣接して追加して第１の３Ｄパノラマ画像を生成する。
【０２６０】
他の例をあげると、前記サーバ（１００）は、前記認識された第１内科医院で提供する複数のサービスにおけるサービス情報を含む第１ＱＲコード（登録商標）、前記認識された第１薬局で提供する複数のサービスにおけるサービス情報を含む第２ＱＲコード（登録商標）、前記認識された第１コンビニで提供する複数の商品／サービスにおける商品及びサービス情報を含む第３ＱＲコード（登録商標）、前記認識された第１自動車で提供する複数の自動車における商品情報を含む第４ＱＲコード（登録商標）、前記認識された第１形成外科で提供する複数のサービスにおけるサービス情報を含む第５ＱＲコード（登録商標）、前記認識した第２形成外科で提供する複数のサービスにおけるサービス情報を含む第６ＱＲコード（登録商標）、前記認識した第２薬局で提供する複数のサービスにおけるサービス情報を含む第７ＱＲコード（登録商標）、前記認識された第１形成外科で提供する複数のサービスにおけるサービス情報を含む第８ＱＲコード（登録商標）及び前記認識した第２コンビニで提供する複数の商品／サービスにおける商品及びサービス情報を含む第９ＱＲコード（登録商標）の各々を前記第１内科医院、第１薬局、第１コンビニ、第１自動車、第１形成外科、第２形成外科、第２薬局、第１整形外科及び第２コンビニ上に各々追加して第２の３Ｄパノラマ画像を生成する（Ｓ８４０）。
【０２６１】
以後、購買端末（２００）に予め設置したアプリが実行される場合、前記購買端末（２００）は、アプリの実行結果の画面を表示する。
【０２６２】
ここで、前記アプリの実行結果の画面は、会員情報を伝送するための会員情報項目（またはメニュー／ボタン）、３Ｄパノラマ画像を検索及び表示するための３Ｄパノラマ画像情報項目、アプリの機能を設定するための設定項目、購買端末（２００）を介して購買したマルチ商品割引クーポンや旅行先の目録などを管理するためのマイページ項目などを含む。
この時、前記購買端末（２００）は、バックグラウンド状態で当該アプリに関するサーバ（１００）と通信する。
【０２６３】
一例をあげると、図１０に図示したように、前記購買端末（２００）に予め設置された旅行先ショッピング情報アプリが実行される時、前記購買端末（２００）は、旅行先ショッピング情報画面（１０００）を表示し、前記旅行先ショッピング情報アプリと関連する前記サーバ（１００）とバックグラウンド状態で通信連結する。
【０２６４】
ここで、前記旅行先ショッピング情報画面（１０００）は、会員情報項目（１０１０）、３Ｄパノラマ画像情報項目（１０２０）、設定項目（１０３０）、マイページ項目（１０４０）などを含む（Ｓ８５０）。
【０２６５】
以後、前記購買端末（２００）に表示されるアプリの実行結果の画面のうち、会員情報項目が選択される場合、前記購買端末（２００）は、前記選択された会員情報項目に対応する会員情報を入力してもらう（または受信する）ための会員情報画面を表示する。
【０２６６】
また、前記購買端末（２００）は、ユーザー入力（またはユーザータッチ）による会員情報を受信する。
ここで、前記会員情報は、姓名、住所、使用言語、配送先情報、旅行先情報、ショッピングオブジェクトの種類（例えば、アバター類、エモーティコン類などを含む）などを含む。
【０２６７】
また、前記購買端末（２００）は、前記受信した会員情報、前記購買端末（２００）の識別情報などを前記サーバ（１００）へ伝送する。ここで、前記購買端末（２００）の識別情報は、ＭＤＮ、モバイルＩＰ、モバイルＭＡＣ、Ｓｉｍ（加入者識別モジュール）カード固有情報、シリアル番号などを含む。
【０２６８】
一例をあげると、前記図１０に図示された旅行先ショッピング情報画面（１０００）のうち、前記会員情報項目（１０１０）が選択される時、図１１に図示したように、前記購買端末（２００）は、前記選択された会員情報項目（１０１０）に対応する会員情報画面（１１００）を表示する。
【０２６９】
また、前記購買端末（２００）が前記図１１に図示された会員情報画面（１１００）でユーザー入力によって姓名（例えば、洪吉同）、住所（例えば、中国河南省南陽市八一路１２３号）、使用言語（例えば、中国語）、配送先情報（例えば、旅行期間中滞在する大韓民国ソウル特別市江南区狎鴎亭路ＡＢホテル１２３４号）、旅行先情報（例えば、大韓民国ソウル特別市江南区狎鴎亭路）、ショッピングオブジェクトの種類（例えば、椿エモーティコン）などを含む会員情報を受信する場合、前記購買端末（２００）は、前記受信した会員情報、前記購買端末（２００）の識別情報などを前記サーバ（１００）へ伝送する（Ｓ８６０）。
【０２７０】
以後、前記サーバ（１００）は、前記購買端末（２００）から伝送される前記会員情報、前記購買端末（２００）の識別情報などを受信する。
【０２７１】
また、前記サーバ（１００）は、前記受信した会員情報を基に前記会員情報に含まれた旅行先情報に対応する３Ｄパノラマ画像情報を前記購買端末（２００）へ伝送する。
【０２７２】
この時、前記サーバ（１００）は、前記会員情報内の使用言語を基に当該使用言語で製作された３Ｄパノラマ画像情報を前記購買端末（２００）へ伝送することもできる。
【０２７３】
一例をあげると、前記サーバ（１００）は、前記購買端末（２００）から伝送される前記会員情報に含まれた旅行先情報（例えば、大韓民国ソウル特別市江南区狎鴎亭路）及び使用言語（例えば、中国語）を基に前記旅行先情報及び中国語に対応する３Ｄパノラマ画像情報を前記購買端末（２００）へ伝送する（Ｓ８７０）。
【０２７４】
以後、前記購買端末（２００）は、前記伝送された会員情報に応じて前記サーバ（１００）から伝送される前記会員情報内の旅行先情報に対応する３Ｄパノラマ画像情報を受信する。
【０２７５】
ここで、前記３Ｄパノラマ画像情報は、実際のオフライン状況の画像情報に、前記オフライン状況の画像情報に含まれた売場、ＰＯＰ、ちらし、バナー広告、掲示板広告、ポスター広告、看板、価格表などを含むオブジェクトに各々対応する一つ以上のコードが追加された状態であることがある。
【０２７６】
また、前記オブジェクトは当該オフライン状況の画像情報に含まれる各売場内で提供する商品及びサービスは除いた状態と定義する。
また、前記オブジェクトに対応するコードは、バーコード、ＱＲコード（登録商標）、文字列コードなどの型であり、前記オブジェクトに関する一つ以上の商品情報、一つ以上のサービス情報などを含む。
【０２７７】
また、前記購買端末（２００）は、前記受信した３Ｄパノラマ画像情報を表示する。
また、前記購買端末（２００）は、前記会員情報内のショッピングオブジェクトの種類を基にユーザー入力によって前記３Ｄパノラマ画像情報内で当該ショッピングオブジェクトを移動させながら前記３Ｄパノラマ画像情報を表示する。
【０２７８】
一例をあげると、図１２に図示したように、前記購買端末（２００）は、前記伝送された会員情報に応じて前記サーバ（１００）から伝送される前記旅行先情報（例えば、大韓民国ソウル特別市江南区狎鴎亭路）に対応する前記第１の３Ｄパノラマ画像情報（１２００）を表示する。
【０２７９】
ここで、前記第１の３Ｄパノラマ画像情報（１２００）は、前記旅行先情報に近接したデパート内の食品館の３Ｄパノラマ画像情報であることがある。
【０２８０】
他の例をあげると、図１３に図示したように、前記購買端末（２００）は、前記伝送された会員情報に応じて前記サーバ（１００）から伝送される前記旅行先情報（例えば、大韓民国ソウル特別市江南区狎鴎亭路）に対応する前記第２の３Ｄパノラマ画像情報（１３００）を表示する。
ここで、前記第２の３Ｄパノラマ画像情報（１３００）は、前記旅行先情報におけるロードビュー画像情報であることがある。
【０２８１】
また、前記会員情報を前記サーバへ伝送した後、前記購買端末（２００）に表示される前記アプリの実行結果の画面のうち、前記３Ｄパノラマ画像情報項目が選択される場合、前記購買端末（２００）は、前記購買端末（２００）の現在位置情報または前記旅行先情報などを前記サーバ（１００）へ伝送し、前記伝送された前記購買端末（２００）の現在位置情報、または、前記旅行先情報に応じて前記サーバ（１００）から伝送される３Ｄパノラマ画像情報（例えば、前記購買端末（２００）の現在位置情報に対応する３Ｄパノラマ画像情報、前記旅行先情報に対応する３Ｄパノラマ画像情報など含む）を受信して、前記受信した３Ｄパノラマ画像情報を表示することもできる（Ｓ８８０）。
【０２８２】
以後、前記購買端末（２００）に表示される３Ｄパノラマ画像情報に含まれた特定コードが選択される場合、前記購買端末（２００）は、前記選択された特定コードの固有識別情報、前記購買端末（２００）の識別情報などを前記サーバ（１００）へ伝送する。
【０２８３】
この時、前記購買端末（２００）に表示される３Ｄパノラマ画像情報に含まれた商品が選択される場合、前記購買端末（２００）は、特別な機能を遂行しないか、または、前記選択された商品に対応して予め保存された商品情報を表示することができる。
【０２８４】
一例をあげると、前記図１２に図示された第１の３Ｄパノラマ画像情報（１２００）内に含まれた第２バーコード（１２１０）が選択される時、前記購買端末（２００）は、前記選択された第２バーコード（１２１０）の固有識別情報、前記購買端末（２００）の識別情報などを前記サーバ（１００）へ伝送する。
【０２８５】
他の例をあげると、前記図１３に図示された第２の３Ｄパノラマ画像情報（１３００）内に含まれた第５ＱＲコード（登録商標）（１３１０）が選択される時、前記購買端末（２００）は、前記選択された第５ＱＲコード（登録商標）（１３１０）の固有識別情報、前記購買端末（２００）の識別情報などを前記サーバ（１００）へ伝送する（Ｓ８９０）。
【０２８６】
以後、前記サーバ（１００）は、前記購買端末（２００）から伝送される前記特定コードの固有識別情報、前記購買端末（２００）の識別情報などを受信する。
【０２８７】
また、前記サーバ（１００）は、予め保存されたコード別商品及びサービス情報のうちから前記受信した特定コードの固有識別情報に対応する一つ以上の商品及びサービス情報を確認する。
【０２８８】
ここで、前記商品及びサービス情報は、商品名（またはサービス名）、商品固有コード（またはサービス固有コード）、商品イメージ（またはサービスの基本イメージ）、商品説明情報（またはサービス説明情報）、商品／サービスにおける体験情報、商品／サービスにおける評価情報などを含む。
【０２８９】
また、前記サーバ（１００）は、前記確認した一つ以上の商品及びサービス情報（または前記特定コードの固有識別情報に対応する一つ以上の商品及びサービス情報）を前記購買端末（２００）へ伝送する。
【０２９０】
一例をあげると、前記サーバ（１００）は、予め保存されたコード別商品及びサービス情報のうちから前記購買端末（２００）から伝送される前記第２バーコードに関連する第５１商品情報乃至第５５商品情報を前記購買端末（２００）へ伝送する。
ここで、前記第５１商品情報乃至第５５商品情報は、紅参に関連する商品情報であることがある。
【０２９１】
他の例をあげると、前記サーバ（１００）は、予め保存されたコード別商品及びサービス情報のうち、前記購買端末（２００）から伝送される前記第５ＱＲコード（登録商標）に関連して当該第１形成外科で提供する複数のサービスにおける複数のサービス情報（または診療科目情報）を前記購買端末（２００）へ伝送する（Ｓ９００）。
【０２９２】
以後、前記購買端末（２００）は、前記伝送された特定コードの固有識別情報に応じて前記サーバ（１００）から伝送される一つ以上の商品及びサービス情報（または前記特定コードの固有識別情報に対応する一つ以上の商品及びサービス情報）を受信する。
【０２９３】
また、前記購買端末（２００）は、前記受信した一つ以上の商品及びサービス情報を表示する。この時、前記購買端末（２００）は、当該一つ以上の商品及びサービス情報において予め設定された基準（例えば、販売量順、価格順などを含む）によって前記一つ以上の商品及びサービス情報を自動に並び替えて、前記並び替えられた商品及びサービス情報を表示することもできる。
【０２９４】
一例をあげると、図１４に図示したように、前記購買端末（２００）は、前記伝送された第２バーコードの固有識別情報に応じて前記サーバ（１００）から伝送される紅参に関連する商品情報である第５１商品情報乃至第５５商品情報（１４００）を表示する。
【０２９５】
他の例をあげると、図１５に図示したように、前記購買端末（２００）は、前記伝送された第５ＱＲコード（登録商標）の固有識別情報に応じて前記サーバ（１００）から伝送される当該第１形成外科で提供する複数のサービス情報（または診療科目情報）（１５００）を表示する（Ｓ９１０）。
【０２９６】
以後、前記購買端末（２００）は、ユーザー入力による配送情報、前記購買端末（２００）の識別情報などを前記サーバ（１００）へ伝送する。
ここで、前記配送情報は、当該購買端末（２００）で決済する商品やサービスを提供されるための方法（または手段）を示して、宅配サービス（例えば、航空、船舶などを介した宅配サービスを含む）、マルチ商品割引クーポン発行、現場受領などを含む。
【０２９７】
また、前記サーバ（１００）は、前記購買端末（２００）から伝送される前記配送情報、前記購買端末（２００）の識別情報などを受信及び保存する。
【０２９８】
一例をあげると、前記購買端末（２００）は、ユーザー入力による航空宅配サービスを含む第２配送情報、前記購買端末（２００）の識別情報などを前記サーバ（１００）へ伝送する。
【０２９９】
他の例をあげると、前記購買端末（２００）は、ユーザー入力によるマルチ商品割引クーポン発行を含む第１配送情報、前記購買端末（２００）の識別情報などを前記サーバ（１００）へ伝送する（Ｓ９２０）。
【０３００】
以後、前記購買端末（２００）は、前記購買端末（２００）に表示される一つ以上の商品及びサービス情報のうちから選択される少なくとも一つの特定商品及びサービス情報を基に前記サーバ（１００）、決済サーバ（３００）及び販売端末（４００）などとの連動によって決済機能を遂行する。
【０３０１】
この時、前記購買端末（２００）で選択された特定商品及びサービス情報に対応する特定商品において、当該特定商品が予め設定された（または登録された）輸入通関不可商品（例えば、肉類、財貨、武器類、ガス類、薬などを含む）に該当する場合、前記サーバ（１００）は、前記特定商品及びサービス情報における決済機能遂行が不可であることを示す情報（または決済機能失敗情報）を前記購買端末（２００）へ伝送する。
【０３０２】
ここで、前記決済機能遂行が不可であることを示す情報は、前記特定商品及びサービス情報に対応する特定商品が輸入通関不可商品に該当することを示す情報などを含む。
【０３０３】
また、前記購買端末（２００）は、前記サーバ（１００）から伝送される前記特定商品及びサービス情報における決済機能遂行が不可であることを示す情報を受信して、前記受信した前記特定商品及びサービス情報における決済機能遂行が不可であることを示す情報を表示する。
【０３０４】
また、前記購買端末（２００）で選択された特定商品及びサービス情報に対応する特定商品が予め設定された（または登録された）輸入通関不可商品（例えば、肉類、財貨、武器類、ガス類、薬などを含む）に該当しない場合、前記サーバ（１００）は、前記少なくとも一つの特定商品及びサービス情報に対応する正常価金額に予め設定された割引額を適用して前記正常価金額に前記割引額が適用された金額における決済機能を遂行する。
【０３０５】
また、前記正常価金額に前記割引額が適用された金額は、当該特定商品及びサービス情報に対応する特定商品や特定サービスが提供されている当該国家内での最低価格と同じか、または、より安い金額であることがある。
【０３０６】
また、前記決済機能が正常的に遂行完了された後、前記サーバ（１００）｛または前記決済サーバ（３００）｝は、決済機能遂行の結果（または決済情報）を前記購買端末（２００）に提供する。
【０３０７】
ここで、前記決済機能遂行の結果（または決済情報）は、少なくとも一つの商品及びサービス情報、決済日付及び時刻情報、注文商品別／サービス別の価格情報などを含む。
【０３０８】
また、前記購買端末（２００）は、前記サーバ（１００）｛または前記決済サーバ（３００）｝から伝送される決済機能遂行の結果を受信して、前記受信した決済機能遂行の結果を表示する。
【０３０９】
一例をあげると、前記図１４に図示された紅参に関連する商品情報である第５１商品情報乃至第５５商品情報（１４００）のうち、第５３商品情報（１４１０）が選択される時、前記購買端末（２００）は、前記サーバ（１００）、前記決済サーバ（３００）及び前記販売端末（４００）などとの連動によって、前記第５３商品情報（１４１０）に対応する決済金額（または前記正常価金額に前記割引額が適用された金額）における決済機能を遂行する。
【０３１０】
また、前記決済機能が正常的に完了された後、前記サーバ（１００）は、前記決済機能遂行の結果を前記購買端末（２００）へ伝送する。また、前記購買端末（２００）は、前記サーバ（１００）から伝送される決済機能遂行の結果を保存及び表示する。
【０３１１】
他の例をあげると、前記図１５に図示された第１形成外科で提供する複数のサービス情報（または診療科目情報）（１５００）のうち、目の整形サービス（１５１０）が選択される時、前記購買端末（２００）は、前記サーバ（１００）、前記決済サーバ（３００）及び前記販売端末（４００）などとの連動によって、前記目の整形サービス（１５１０）に対応する決済金額における決済機能を遂行する。
【０３１２】
また、前記決済機能が正常的に完了された後、前記サーバ（１００）は、前記決済機能遂行の結果を前記購買端末（２００）へ伝送する。また、前記購買端末（２００）は、前記サーバ（１００）から伝送される決済機能遂行の結果を保存及び表示する（Ｓ９３０）。
【０３１３】
以後、前記サーバ（１００）は、前記決済機能が遂行された前記少なくとも一つの特定商品及びサービス情報に対応する少なくとも一つの特定商品における通関リストを生成する。
【０３１４】
ここで、前記通関リストは、前記少なくとも一つの特定商品における商品名、商品の固有識別情報、ＨＳコード、配送料、課税運賃情報（関税、付加税、特別消費税、基準超過金、教育税、農漁村特別税、酒税などを含む）などを含む。
【０３１５】
また、前記サーバ（１００）は、前記生成された通関リストを前記購買端末（２００）へ伝送する（Ｓ９４０）。
【０３１６】
以後、前記購買端末（２００）は、前記サーバ（１００）から伝送される通関レシートを受信する。
【０３１７】
また、前記購買端末（２００）は、前記受信した通関リストを表示する（Ｓ９５０）。
【０３１８】
以後、前記購買端末（２００）は、前記少なくとも一つの特定商品及びサービスにおいて、当該特定商品や特定サービスの購買から到着（またはクーポン発行）までの体験情報、評価情報、前記購買端末（２００）の識別情報などを前記サーバ（１００）へ伝送する。
【０３１９】
また、前記サーバ（１００）は、前記購買端末（２００）から伝送される前記特定商品や特定サービスにおける体験情報、評価情報、前記購買端末（２００）の識別情報などを受信する。
【０３２０】
また、前記サーバ（１００）は、前記受信した体験情報、評価情報などを該当する特定商品や特定サービスにマッチングして保存する（Ｓ９６０）。
【０３２１】
本発明の実施例は、先に説明したように、売場に陳列された商品や街におけるロードビュー上の売場における３Ｄパノラマ画像に当該商品や売場と関連するタグを含めさせて仮想現実を具現して、実際のデパート、ショッピングモール、街などで見るビューをそのまま提供しながら、オンラインショッピングモールのない町の小型商店や在来市場が含まれたオフラインで提供する商品や売場と関連する付加的情報を、前記タグを介して伝達し、ユーザーに様々な情報を提供することができる。
【０３２２】
また、本発明の実施例は、先に説明したように、商品や売場と関連するタグが含まれた３Ｄパノラマ画像で前記商品や売場と関連するタグが選択される場合、前記選択されたタグに関する商品や売場における情報を旅行先へ出発する前に３Ｄパノラマ画像を基に当該地域ショッピング情報を予め収集及び確認し、必要であれば、３Ｄパノラマ画像を介した商品購買機能遂行と求める地域への配送をすることができて、前記提供される商品や売場における情報のうちから旅行先で使える特定商品や売場における情報に対応する旅行者専用プリペイドマルチ商品割引クーポンの決済機能を遂行して、外国を旅行する場合、現地の人より低い値段で商品を購買することができて、旅行客である当該端末のユーザーの満足感と便宜を高めることができる。
【０３２３】
前述の内容は、本発明の属する技術分野で通常の知識を有する者であるならば、本発明の本質的特性から外れない範囲で修正及び変形が可能であるだろう。
従って、本発明に開示された実施例等は、本発明の技術事象を限定するためではなく、説明するためであり、このような実施例によって本発明の技術事象の範囲が限定されることはない。本発明の保護範囲は、下の請求の範囲によって解釈されるべきであり、それと同等の範囲内にある全ての技術事象は、本発明の権利範囲に含まれると解釈すべきである。
【産業上の利用可能性】
【０３２４】
本発明は、売場に陳列された商品や街におけるロードビュー（ｒｏａｄ  ｖｉｅｗ）上の売場における３Ｄパノラマ画像に当該商品やオンラインショッピングモールのない売場と在来市場と関連するタグとを含めさせて仮想現実を具現し、前記商品や売場と関連するタグが選択される場合、前記選択されたタグに関する商品や売場における情報提供を介して関心商品購買と配送機能を遂行し、旅行先へ出発する前、３Ｄパノラマ画像を基に当該地域ショッピング情報を予め収集及び確認して旅行者専用プリペイドマルチ商品割引クーポンの決済機能を遂行することによって、実際のデパート、ショッピングモール、街などで見るビューをそのまま提供しながら、オフラインで提供する商品や売場と関連する付加的情報を、前記タグを介して伝達して、ユーザーに様々な情報を提供することができるものであり、オンラインショッピングモールのない町の小型商店、小型商店が密集したショッピングタウン及び在来市場の商品を、３Ｄパノラマ画像を介してオンラインで販売及び配送機能を遂行することによって電子商取引分野、ショッピング情報提供分野、マーケッティング分野、デザイン分野、広告分野、画像分野、端末分野、サーバ分野など、広範囲で利用できる。
【符号の説明】
【０３２５】
１０：３Ｄパノラマ画像に基づく旅行先ワンストップショッピングシステム
１００：サーバ
２００：購買端末
３００：決済サーバ
４００：販売端末
１０００：旅行先ショッピング情報画面
１０１０：会員情報項目
１０２０：３Ｄパノラマ画像情報項目
１０３０：設定項目
１０４０：マイページ項目
１１００：会員情報画面
１２００：第１の３Ｄパノラマ画像情報
１２１０：第２バーコード
１３００：第２の３Ｄパノラマ画像情報
１３１０：第５ＱＲコード（登録商標）
１４００：第５１商品情報乃至第５５商品情報
１４１０：第５３商品情報
１５００：第１形成外科で提供する複数のサービス情報（または診療科目情報）
１５１０：目の整形サービス
【要約】
【課題】売場に陳列された商品や街におけるロードビュー上の売場における３Ｄパノラマ画像に当該商品や売場と関連するタグを含めさせて仮想現実を具現する３Ｄパノラマ画像に基づく旅行先ワンストップショッピングシステム及びその制御方法を提供する。
【解決手段】売場に陳列された商品やオンラインショッピングモールのない街のロードビュー上の小型売場における３Ｄパノラマ画像に当該商品や売場と関連するタグを含めさせて仮想現実を具現し、前記商品や売場と関連するタグが選択される場合、前記選択されたタグに関する商品や売場における情報提供を介して関心商品購買と配送機能を遂行し、旅行先へ出発する前に３Ｄパノラマ画像を基に当該地域ショッピング情報を予め収集及び確認し、必要である場合、旅行者専用プリペイドマルチ商品割引クーポンの決済機能を遂行する。
【選択図】図１【図１】
0006007348.tif 000002
【図２】
0006007348.tif 000003
【図３】
0006007348.tif 000004
【図４】
0006007348.tif 000005
【図５】
0006007348.tif 000006
【図６】
0006007348.tif 000007
【図７】
0006007348.tif 000008
【図８】
0006007348.tif 000009
【図９】
0006007348.tif 000010
【図１０】
0006007348.tif 000011
【図１１】
0006007348.tif 000012
【図１２】
0006007348.tif 000013
【図１３】
0006007348.tif 000014
【図１４】
0006007348.tif 000015
【図１５】
0006007348.tif 000016